(57)【要約】【課題】  入賞の成立を容易に実現可能にする。【解決手段】実行中の遊技状態を検知する遊技状態検知手段と、メダルのＢＥＴ数を取得するベット数取得手段と、入賞成立の判定に使用される複数の入賞ライン８ａ〜８ｇと、入賞ライン８ａ〜８ｇを有効化し、かつ、遊技状態とＢＥＴ数とに応じて、入賞ラインを有効化する数を増減させる入賞ライン有効化手段とを有している。【選択図】  図１
2005296409.tif 000002
【特許請求の範囲】
【請求項１】
実行中の遊技状態を検知する遊技状態検知手段と、
遊技媒体のベット数を取得するベット数取得手段と、
遊技価値を付与する入賞成立の判定に使用される複数の入賞ラインと、
前記入賞ラインを有効化し、かつ、前記遊技状態と前記ベット数とに応じて、前記入賞ラインを有効化する数を増減させる入賞ライン有効化手段と
を有していることを特徴とする遊技機。
【請求項２】
前記入賞成立を実現可能にする内部当選役を発生させる内部当選役発生手段をさらに備えており、
前記入賞ライン有効化手段が、
前記遊技状態が、所定の前記入賞成立を契機として発生し、発生前の遊技状態と前記内部当選役の当選確率が同じで、獲得可能な前記遊技価値の総計が増大する特別遊技状態の場合に、前記入賞ラインを有効化する数を、前記特別遊技状態の発生前の遊技状態と比べて増加させる
ことを特徴とする請求項１に記載の遊技機。
【請求項３】
前記入賞ライン有効化手段が、
前記遊技状態が、前記内部当選役に無関係に入賞成立を実現可能にする特定遊技状態である場合に、前記入賞ラインを有効化する数を、前記特定遊技状態の発生前の遊技状態と比べて増加させることを特徴とする請求項２に記載の遊技機。
【請求項４】
前記入賞成立により付与される前記遊技価値が所定値を越える場合、前記遊技価値を前記所定値に制限する遊技価値制限手段をさらに備えていることを特徴とする請求項１〜３の何れか１項に記載の遊技機。
【発明の詳細な説明】
【技術分野】
【０００１】
本発明は、特定の入賞態様が成立するように遊技者の操作により図柄の切り替え表示を停止可能なパチスロ機やパチンコ機、その他の遊技機に関する。
【背景技術】
【０００２】
遊技機、例えばパチスロ機は、パネル中央の表示窓に複数の図柄が描かれた３個のリールが回転可能に並設されており、遊技者等が表示窓に設定された入賞ライン上に各リールの図柄を停止させて入賞を成立させることを目的とするものである。従来、この種の遊技機としては、例えば特許文献１に記載のパチスロ機がある。特許文献１に記載のパチスロ機は、入賞ライン上に図柄が停止するたびに、停止する図柄毎によって異なる音を発生させて、遊技者の興趣を高めるようになっている。
【０００３】
【特許文献１】特開平８−１７３５９２号公報
【発明の開示】
【発明が解決しようとする課題】
【０００４】
しかしながら、特許文献１のような遊技機は、遊技中の楽しみを高めることができる上で好ましいが、入賞の成立を最終目的とする遊技者にとっては、さらに入賞の成立を容易に実現できる遊技機であることが望ましい。
【０００５】
そこで、本発明は、入賞の成立を容易に実現でき、また、遊技状態に応じて１度の入賞でより多くの遊技価値を獲得できる遊技機を提供することを課題とする。
【課題を解決するための手段】
【０００６】
本発明は、実行中の遊技状態を検知する遊技状態検知手段と、遊技媒体のベット数を取得するベット数取得手段と、遊技価値を付与する入賞成立の判定に使用される複数の入賞ラインと、入賞ラインを有効化し、かつ、遊技状態とベット数とに応じて、入賞ラインを有効化する数を増減させる入賞ライン有効化手段とを有している。この構成によると、遊技状態とベット数とに応じて、入賞ラインを有効化する数を変化させることで、入賞成立を容易に実現することができる場合があり、遊技者の遊技興趣を向上させることができる。
【０００７】
また、本発明は、入賞成立を実現可能にする内部当選役を発生させる内部当選役発生手段をさらに備えており、入賞ライン有効化手段が、遊技状態が、所定の入賞成立を契機として発生し、発生前の遊技状態と内部当選役の当選確率が同じで、獲得可能な遊技価値の総計が増大する特別遊技状態の場合に、入賞ラインを有効化する数を特別遊技状態の発生前の遊技状態と比べて増加させるようにしてもよい。この構成によると、有効化する入賞ラインの数を増加させることで、遊技状態が特別遊技状態の場合に、内部当選役の当選確率が変化しなくても、入賞成立を容易に実現することができ、また、１度の入賞でより多くの遊技価値を獲得できるため、所定量の遊技価値を獲得するまでの時間を短縮することができ、遊技者の興趣を向上させることができる。
【０００８】
この場合、入賞ライン有効化手段が、遊技状態が、内部当選役に無関係に入賞成立を実現可能にする特定遊技状態である場合に、入賞ラインを有効化する数を特定遊技状態の発生前の遊技状態と比べて増加させるようにしてもよい。これによると、遊技状態が内部当選役に関係なく入賞成立することができる特定遊技状態である場合には、有効化する入賞ラインの数を増加させることで、遊技者が容易に入賞成立することができる場合がある。
【０００９】
また、本発明は、入賞成立により付与される遊技価値が所定値を越える場合、遊技価値を所定値に制限する遊技価値制限手段をさらに備えていてもよい。これによると、付与される遊技価値が制限されている場合に、好適に適用することができる。
【発明の効果】
【００１０】
本発明は、入賞の成立を容易に実現することができる場合があり、また、遊技状態に応じて１度の入賞でより多くの遊技価値を獲得できるため、遊技者の遊技興趣を向上させることができる。
【発明を実施するための最良の形態】
【００１１】
本発明の実施の形態を図１ないし図３５に基づいて以下に説明する。
【００１２】
本実施形態にかかる遊技機は、所謂『パチスロ機』であり、複数の図柄の切り替え表示を停止して表示される図柄に基づいて特定の入賞態様が成立するように、遊技者の操作により切り替え表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１３】
図２は、遊技機１の外観を示す斜視図である。遊技機１の全体を形成しているキャビネット２の正面には、略垂直面としてのパネル表示部２ａが形成され、その中央には縦長矩形の表示窓４Ｌ・４Ｃ・４Ｒが設けられる。図１は、遊技機１の表示窓４Ｌ・４Ｃ・４Ｒの拡大図である。表示窓４Ｌ・４Ｃ・４Ｒは、後述するリール３Ｌ・３Ｃ・３Ｒの複数の図柄をそれぞれ縦方向に３つずつ、合計９つの図柄を表示できるようになっている。また、表示窓４Ｌ・４Ｃ・４Ｒには、入賞ラインとして水平方向にトップライン８ｂ、センターライン８ｃ及びボトムライン８ｄ、斜め方向にクロスダウンライン８ａ、クロスアップライン８ｅ、水平方向と斜め方向とが組み合わさったトップダウンライン８ｆ及びボトムアップライン８ｇが設けられている。
【００１４】
トップライン８ｂは、各表示窓４Ｌ・４Ｃ・４Ｒの上段、センターライン８ｃは中段、ボトムライン８ｄは下段をそれぞれ横切って設けられている。また、クロスダウンライン８ａは、表示窓４Ｌの上段、表示窓４Ｃの中断、表示窓４Ｒの下段を横切っており、クロスアップライン８ｅは、表示窓４Ｌの下段、表示窓４Ｃの中段、表示窓４Ｒの上段を横切って設けられている。さらに、トップダウンライン８ｆは、表示窓４Ｌ・４Ｃの上段、表示窓４Ｒの中段を横切り、ボトムアップライン８ｇは、表示窓４Ｌ・４Ｃの下段、表示窓４Ｒの中段を横切って設けられている。
【００１５】
これらの入賞ラインは、後述の１−ＢＥＴスイッチ１１、２−ＢＥＴスイッチ１２、最大ＢＥＴスイッチ１３を操作すること、或いはメダル投入口２２にメダルを投入することにより、それぞれ１本、３本、５本、７本が有効化される。どの入賞ラインが有効化されたかは、後で説明するＢＥＴランプ９ａ・９ｂ・９ｃ及びライン追加ランプ９ｄの点灯で表示される。以下の説明において、有効化された入賞ラインを有効ライン、有効化された入賞ラインの数を有効ライン数と言う場合がある。
【００１６】
ここで、入賞ライン８ａ〜８ｇは、役の入賞の成否に関わる。具体的には、所定の役（例えば、後述の『チェリーの小役』）に対応する一の図柄（例えば、後述の「チェリー（図柄９７）」）が何れかの有効化された入賞ラインに対応する所定の位置（例えば、後述のＢＥＴ数が「３」であれば左の表示窓４Ｌ内の位置）に停止表示されること、又は所定の役に対応する図柄組合せを構成する図柄が何れかの有効化された入賞ラインに対応する所定の位置に並んで停止表示されることにより、所定の役の入賞が成立することとなる。
【００１７】
キャビネット２の内部には、３個のリール３Ｌ・３Ｃ・３Ｒが回転自在に横一列に設けられている。各リール３Ｌ・３Ｃ・３Ｒの外周面には、図３又は図４に示すように、複数の図柄からなる図柄列が記されている。
【００１８】
図柄列は、「００」〜「２０」のコードナンバーが付された複数種類の図柄からなっている。具体的には、「赤７（図柄９１）」、「青７（図柄９２）」、「ＢＡＲ（図柄９３）」、「ベル（図柄９４）」、「プラム（図柄９５）」、「Ｒｅｐｌａｙ（図柄９６）」及び「チェリー（図柄９７）」の図柄からなっている。上述のように、各リールの図柄は、表示窓４Ｌ・４Ｃ・４Ｒを通して観察可能にされている。各リールは、定速回転（例えば８０回転／分）で回転する。
【００１９】
上記の図柄列中における「赤７（図柄９１）」、「青７（図柄９２）」、「ＢＡＲ（図柄９３）」は、特定の入賞態様を構成する図柄として設定されている。ここで、特定の入賞態様とは、後述のＢＢやＲＢのボーナスが成立する入賞態様を意味する。尚、特定の入賞態様は、ＣＴやＲＴ、ＡＴ等のボーナス以外の有利な遊技状態を開始させる入賞態様を含む。また、ＣＴやＲＴ、ＡＴなどのボーナス以外の有利な遊技状態中に目押しの必要な入賞態様も特定の入賞態様に含まれ、この場合には、上述のボーナス以外の有利な遊技状態の遊技中において目押しが必要となる。ここで、ＣＴとは、チャレンジタイムの略称であり、ＲＴとは、リプレイタイムの略称であり、ＡＴとは、アシストタイムの略称である。尚、図４に示すリールを用いる場合、右のリールには、「ベル（図柄９４）」の図柄が連続しているため、後述する有効ライン数が増加した場合に、「ベルの小役」が重複して入賞する可能性があり、獲得メダル枚数を増加させることができる。
【００２０】
図２に示すように、表示窓４Ｌ・４Ｃ・４Ｒの左側には、１−ＢＥＴランプ９ａ、２−ＢＥＴランプ９ｂ、最大ＢＥＴランプ９ｃ、ライン追加ランプ９ｄ、クレジット表示部１９が設けられている。１−ＢＥＴランプ９ａ、２−ＢＥＴランプ９ｂ及び最大ＢＥＴランプ９ｃは、一のゲームを行なうために賭けられたメダルの数（以下『ＢＥＴ数』という）に応じて点灯する。ここで、本実施例では、一のゲームは、全てのリールが停止したときに終了する。１−ＢＥＴランプ９ａは、ＢＥＴ数が「１」で１本の入賞ラインが有効化されたときに点灯する。２−ＢＥＴランプ９ｂは、ＢＥＴ数が「２」で３本の入賞ラインが有効化されたときに点灯する。最大ＢＥＴランプ９ｃは、ＢＥＴ数が「３」で５本の入賞ラインが有効化されたときに点灯する。また、ライン追加ランプ９ｄは、遊技状態が後述するＢＢ一般状態において、ＢＥＴ数が「３」で、７本全ての入賞ラインが有効化されたときに点灯する。この場合、最大ＢＥＴランプ９ｃとライン追加ランプ９ｄとの両方が点灯する。尚、本実施例では、５本までの入賞ラインが有効化される場合は、入賞ライン８ａ〜８ｅが選択され、７本の場合には、入賞ライン８ｆ・８ｇが追加される。クレジット表示部１９は、７セグメントＬＥＤから成り、貯留されているメダルの枚数を表示する。
【００２１】
表示窓４Ｌ・４Ｃ・４Ｒの右側には、当り表示ランプ（いわゆるＷＩＮランプ）１７及び払出表示部１８が設けられる。当り表示ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下『ボーナス』という。払出表示部１８は、７セグメントＬＥＤから成り、入賞成立時のメダルの払出枚数を表示する。
【００２２】
パネル表示部２ａの右側上部には、ボーナス遊技情報表示部２０が設けられる。ボーナス遊技情報表示部２０は、７セグメントＬＥＤを備えており、後で説明するＢＢ一般遊技状態におけるゲームの回数等を表示する。表示窓４Ｌ・４Ｃ・４Ｒの下方には、水平面の台座部１０が配置されている。台座部１０と表示窓４Ｌ・４Ｃ・４Ｒとの間には、液晶表示装置５が設けられている。液晶表示装置５は、遊技に関連する情報、例えばＡＴ時におけるアシスト内容を表示画面５ａに表示する。
【００２３】
液晶表示装置５の右側には、メダル投入口２２が設けられている。液晶表示装置５の左側には、１−ＢＥＴスイッチ１１、２−ＢＥＴスイッチ１２、及び最大ＢＥＴスイッチ１３が設けられている。１−ＢＥＴスイッチ１１は、１回の押し操作により、クレジットされているメダルのうちの１枚をゲームへの賭け枚数とする。２−ＢＥＴスイッチ１２は、１回の押し操作により、クレジットされているメダルのうちの２枚をゲームへの賭け枚数とする。最大ＢＥＴスイッチ１３は、１回のゲームに賭けることが可能な最大枚数をゲームへの賭け枚数とする。これらのＢＥＴスイッチ１１・１２・１３を操作することで、前述のとおり、所定の入賞ラインが有効化される。
【００２４】
台座部１０の前面部の左寄りには、遊技者がゲームで獲得したメダルのクレジット／払出しを押しボタン操作で切替えるＣ／Ｐスイッチ１４が設けられている。このＣ／Ｐスイッチ１４の切り替えにより、正面下部のメダル払出ロ１５からメダルが払出され、払出されたメダルはメダル受け部１６に溜められる。Ｃ／Ｐスイッチ１４の右側には、遊技者の操作により上記リールを回転させ、表示窓４Ｌ・４Ｃ・４Ｒ内での図柄の変動表示を開始するためのスタートレバー６が所定の角度範囲で回動自在に取り付けられている。
【００２５】
キャビネット２の上方の左右には、スピーカ２１Ｌ・２１Ｒが設けられ、その２台のスピーカ２１Ｌ・２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ・３Ｃ・３Ｒの回転をそれぞれ停止させるための３個の停止ボタン７Ｌ・７Ｃ・７Ｒが設けられている。
【００２６】
上記のように構成された遊技機１は、図５に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行なうＣＰＵ３１と、主基板側記憶手段であるＲＯＭ３２及びＲＡＭ３３を有している。
【００２７】
ＣＰＵ３１には、基準クロックパルスを発生するクロックパルス発生回路３４及び分周器３５と、サンプリングされる乱数を発生する乱数発生器３６及びサンプリング回路３７（内部当選役発生手段）とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽選テーブルに基づいて、当選役を決定するようになっている。この当選役には、前回のゲーム以前で当選し、未だ入賞していないボーナス（ＢＢ、ＲＢ）の当選情報も含まれるようになっている。例えば、特定のゲームの前回のゲームで、前述の確率抽選テーブルに基づく処理で「ＢＢ」が当選役として決定し、かつＢＢが入賞せず、その特定のゲームでは前述の確率抽選テーブルに基づく処理で「リプレイ」が当選役として決定した場合、前回の当選役である「ＢＢ」と「リプレイ」とが、その特定のゲームの当選役となる。
【００２８】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００２９】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、ライン追加ランプ９ｄ、当り表示ランプ１７）と、各種表示部（払出表示部１８、クレジット表示部１９、ボーナス遊技情報表示部２０）と、メダルを収納し、ホッパ駆動回路４１の命令により所定枚数のメダルを払出す遊技価値付与手段としてのホッパ（払出しのための駆動部を含む）４０と、リール３Ｌ・３Ｃ・３Ｒを回転駆動するステッピングモータ４９Ｌ・４９Ｃ・４９Ｒとがある。
【００３０】
さらに、ステッピングモータ４９Ｌ・４９Ｃ・４９Ｒを駆動制御するモータ駆動回路３９、ホッパ４０を駆動制御するホッパ駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００３１】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、投入メダルセンサ２２Ｓ（ベット数取得手段）、リール停止信号回路４６、リール位置検出回路５０、払出完了信号回路５１がある。これらもＩ／Ｏポート３８を介してＣＰＵ３１に接続されている。
【００３２】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じて停止信号を発生する。リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０Ｓの計数値（ホッパ４０から払出されたメダルの枚数）が指定された枚数データに達した時、メダル払出完了を検知するための信号を発生する。
【００３３】
また、主制御回路７１のＲＡＭ３３には、種々の情報が一時的に格納される。例えば、ＦＴ（高確率再遊技期間）フラグ、ヒットリクエストフラグ、ＢＢストック数の情報、ＲＢストック数、ＦＴ継続ゲーム回数、ＦＴ終了抽選状態の情報、実行中の遊技状態や、投入されたメダルの枚数等が格納される。
【００３４】
一方、主制御回路７１のＲＯＭ３２には、スタートレバー６を操作（スタート操作）する毎に行われる乱数サンプリングの判定に用いられる確率抽選テーブルや停止ボタンの操作に応じてリールの停止態様を決定するための停止テーブル群等の各種のデータテーブルと、副制御回路７２へ送信するための各種制御指令（コマンド）等が格納されている。尚、ＲＯＭ３２に格納された各種のデータテーブルの詳細については後述する。また、ＲＯＭ３２には、後述の図３１の入賞ラインを有効化する入賞ライン有効化手段、メダルの獲得枚数を制限する遊技価値制限手段、ゲーム中の遊技状態を取得する遊技状態検知手段等、その他、後述の各処理ルーチンを実行するプログラム等が格納されている。
【００３５】
上記の主制御回路７１は、副制御回路７２にコマンドや情報等を一方向に出力可能に接続されている。副制御回路７２は、図６に示すように、主制御回路７１からの制御指令（コマンド）に基づいて液晶表示装置５の表示制御及びスピーカ２１Ｌ・２１Ｒからの音の出力制御を行なう。この副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒにより出音される音を制御する音源ＩＣ７８、及び増幅器としてのパワーアンプ７９、ＬＥＤランプ２９を駆動するＬＥＤ駆動回路７７で構成されている。
【００３６】
サブマイクロコンピュータ７３は、主制御回路７１から送信された制御指令に従って制御動作を行なうサブＣＰＵ７４と、副基板側記憶手段としてのプログラムＲＯＭ７５と、ワークＲＡＭ７６とを含む。尚、副制御回路７２は、クロックパルス発生回路、分周器、乱数発生器及びサンプリング回路を備えていないが、サブＣＰＵ７４の動作プログラム上で乱数サンプリングを実行するように構成されている。この乱数サンプリングにより、ＣＳ、ＮＳ等を発生させるかどうかが決定される。プログラムＲＯＭ７５は、サブＣＰＵ７４で実行する図３４のコマンド処理ルーチンや図３５のＡＴ実行判定処理ルーチン等の制御プログラムを格納している。また、プログラムＲＯＭ７５は、上記の制御プログラムの実行時に参照される図１４の停止テーブルＡや図１５の停止テーブルＢ等を格納している。尚、これらのテーブルの詳細については後述する。また、ワークＲＡＭ７６は、上記制御プログラムをサブＣＰＵ７４で実行するときの一時記憶手段として構成される。
【００３７】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。
【００３８】
以上のように構成された遊技機１は、『一般遊技状態』、『通常確率再遊技中ＢＢ内部当選状態』、『通常確率再遊技中ＲＢ内部当選状態』、『高確率再遊技中ＢＢ内部当選状態』、『高確率再遊技申ＲＢ内部当選状態』、『ＢＢ一般遊技状態』、『ＲＢ遊技状態』及び『ＣＴ遊技状態』からなる８種類の遊技状態を出現させる。これら「８種類」の各遊技状態は、基本的に、内部当選する可能性のある役の種類、後述の再遊技に内部当選する確率及び入賞成立を実現することが可能なボーナスの種別、内部当選と入賞成立との関係により区別される。尚、『ＣＴ遊技状態』は、内部当選とは関係なくリール３Ｌ・３Ｃ・３Ｒの目押しによる停止制御のみで入賞成立を実現するようになっている。
【００３９】
各遊技状態の特徴、即ち、各遊技状態において内部当選する役の種類、その確率及び各遊技状態におけるリール３Ｌ・３Ｃ・３Ｒの停止制御（入賞する可能性のある役の種類等）については、後述の図８〜図１３を参照して説明する。また、各遊技状態間の移行は、後述の遊技状態監視処理（図２６）及びＦＴフラグのオン・オフの切り替えにより行われる。
【００４０】
また、本実施例では、ボーナスに内部当選した後、ボーナスの入賞が成立するまでの間、ボーナスを当選役として保持する（一般に、『持ち越し』と称される）。さらに、ボーナスに内部当選した状態においても、ボーナスに内部当選するようになっている。そして、入賞が成立することなく複数回ボーナスに内部当選した場合には、ボーナスの種別毎にその回数を計数（貯留）し、その回数分のボーナスの入賞成立を実現可能にしている。ＢＢの入賞成立を実現可能な回数を、以下『ＢＢストック数』という。また、ＲＢの入賞成立を実現可能な回数を、以下『ＲＢストック数』という。ボーナスの入賞成立を実現可能な回数は、『ＢＢストック数』と『ＲＢストック数』とを合計した回数よりも「１」大きいものとなる。詳細には、『通常確率再遊技中ＢＢ内部当選状態』又は『高確率再遊技中ＢＢ内部当選状態』では、ＢＢの入賞成立を実現可能な回数は、ＢＢストック数に「１」を加算した回数と一致する。また、『通常確率再遊技中ＲＢ内部当選状態』又は『高確率再遊技中ＲＢ内部当選状態』では、ＲＢの入賞成立を実現可能な回数は、ＲＢストック数に「１」を加算した回数と一致する。
【００４１】
ここで、ＢＢの入賞成立を契機として発生し、『ＢＢ一般遊技状態』及び『ＲＢ遊技状態』により構成される遊技状態を総称して、以下『ＢＢ遊技状態』という。また、『通常確率再遊技中ＢＢ内部当選状態』、『通常確率再遊技中ＲＢ内部当選状態』、『高確率再遊技中ＢＢ内部当選状態』及び『高確率再遊技中ＲＢ内部当選状態』は、ボーナスに内部当選している状態であり、これらを総称して、以下『内部当選状態』という。尚、『内部当選状態』は、ボーナスを持ち越している状態（後述のヒットリクエストフラグが「２０（Ｈ）」又は「１０（Ｈ）」である状態）を含む。また、『高確率再遊技中ＢＢ内部当選状態』及び『高確率再遊技中ＲＢ内部当選状態』は、後述の再遊技に内部当選する確率が高い状態（後述のＦＴフラグがセットされた状態）であり、これらを総称して、以下『高確率再遊技中（高確率再遊技期間）』といい、『ＦＴ』と略記する。また、『一般遊技状態』、『通常確率再遊技中ＢＢ内部当選状態』及び『通常確率再遊技中ＲＢ内部当選状態』は、後述の再遊技に内部当選する確率が通常の状態（後述のＦＴフラグがセットされていない状態）であり、これらを総称して、以下『通常確率再遊技中』という。
【００４２】
『ＦＴ』の発生条件は、後述のヒットリクエストフラグが「００（Ｈ）」であるときにボーナスに内部当選したこと、又はＢＢ遊技状態又はＲＢ遊技状態の終了時においてＢＢストック数及びＲＢストック数が「０」でないことである。
【００４３】
『ＦＴ』の終了条件は、『ＦＴ』が終了するまでに要するゲームの回数（以下『ＦＴ継続ゲーム回数』という）が「０」となることである。この『ＦＴ継続ゲーム回数』は、『ＦＴ』の発生時において「１５００」に設定され、『ＦＴ』のゲームの開始時に「１」減算される。また、この『ＦＴ継続ゲーム回数』は、ＦＴの終了に当選すること、または条件設定手段により設定された条件が充足されたことを契機として「０」に更新される。
【００４４】
また、『ＦＴ』の終了の抽選に当選する確率、及び当該抽選が行われるか否かは、ストップ用セレクトデータ（以下『セレクトデータ』という）、ＦＴ終了抽選状態、及び当選役に応じて変化するようになっている。セレクトデータは、後述の停止テーブル群の決定等に用いられ、ＦＴを終了するか否かに関する遊技者の有利さの度合いを示すデータ（情報）でもある。具体的には、セレクトデータとしては、「０」〜「３」が設けられ、その遊技者の有利さの度合いは、「１」〜「３」のうち、「２」が最も高く「３」が最も低い。ＦＴ終了抽選状態とは、ＦＴを終了するか否かに関する遊技者の有利さの度合いを示す指標である。具体的には、ＦＴ終了抽選状態としては、「０」〜「３」が設けられ、遊技者の有利さの度合いは、「３」が最も高く「１」が最も低く、「０」よりも「２」が高い。
【００４５】
ここで、『ヒットリクエストフラグ』は、あるゲームの状況（ボーナスを持ち越しているか否か、持ち越しているボーナスの種類等）を示すものであり、その次回のゲームにおいて遊技状態の移行の契機となり得るフラグ（情報）である。具体的には、あるゲームにおいて『ヒットリクエストフラグ』が「２０（Ｈ）」であり、そのゲームで「青７−青７−青７」又は「赤７−赤７−赤７」が有効ラインに沿って並ぶことによるＢＢの入賞が成立しなかったとき、その次のゲームにおける遊技状態は、『通常確率再遊技中ＢＢ内部当選状態』、『高確率再遊技中ＢＢ内部当選状態』または『ＣＴ遊技状態』である。また、あるゲームにおいて『ヒットリクエストフラグ』が「１０（Ｈ）」であり、そのゲームで「ＢＡＲ−ＢＡＲ−ＢＡＲ」が有効ラインに沿って並ぶことによるＲＢの入賞が成立しなかったとき、その次のゲームにおける遊技状態は、『通常確率再遊技中ＲＢ内部当選状態』、『高確率再遊技中ＲＢ内部当選状態』または『ＣＴ遊技状態』である。また、あるゲームにおいて『ヒットリク工ストフラグ』が「００（Ｈ）」であるとき、その次回のゲームにおける遊技状態は、『一般遊技状態』または『ＣＴ遊技状態』である。
【００４６】
また、『ＦＴフラグ（高確率再遊技フラグ）』は、『ＦＴ』であるか否かを判別するためのフラグである。具体的には、『ＦＴフラグ』は、『ＦＴ』においては「オン」の状況にある。また、『通常確率再遊技中』においては、「オフ」の状況にある。尚、フラグが「オン」の状況とは、例えば所定の記憶領域に「１」を示す情報が記憶されていることをいう。また、フラグが「オフ」の状況とは、所定の記憶領域に「０」を示す情報が記憶されていることをいう。『ＦＴフラグ』を設けずに、『ＦＴ継続ゲーム回数』により『ＦＴ』であるか否かを判定しても良い。具体的には、『ＦＴ継続ゲーム回数』は、『ＦＴ』においては「１以上の所定値」となっている。また、『通常確率再遊技』においては、基本的に「０」となっている。
【００４７】
また、『次ボーナス抽選処理』とは、ＢＢ遊技状態又は「ＢＡＲ−ＢＡＲ−ＢＡＲ」が有効ラインに沿って並ぶことにより発生したＲＢ遊技状態の終了時にＢＢストック数及びＲＢストック数が「１以上」である場合において、ＢＢ内部当選設定比率テーブル（図２１）に基づいて次ボーナスをＢＢ又はＲＢの何れとするか、即ち、ヒットリクエストフラグとして「２０（Ｈ）」又は「１０（Ｈ）」の何れをセット（記憶）するかを決定する。『次ボーナス』とは、次に入賞成立が許可（許容）されることとなるボーナスの種類（種別）をいう。
【００４８】
図７に示すように、ＢＢの入賞は、内部当選状態において「青７−青７−青７」又は「赤７−赤７−赤７」が有効ラインに沿って並ぶことにより成立し、１５枚のメダルを獲得することができる。ＢＢの入賞が成立した後、遊技状態がＢＢ一般遊技状態となる。ＲＢの入賞は、内部当選状態において「ＢＡＲ−ＢＡＲ−ＢＡＲ」が有効ラインに沿って並ぶこと、又はＢＢ一般遊技状態において「Ｒｅｐｌａｙ−Ｒｅｐｌａｙ−Ｒｅｐｌａｙ」が並ぶことにより成立し、何れも１５枚のメダルを獲得することができる。ＢＢ一般遊技状態においてＲＢの入賞が成立することを、一般に『ＪＡＣＩＮ』と称する。ＲＢの入賞が成立した後、遊技状態がＲＢ遊技状態となる。
【００４９】
ここで、遊技状態に拘らずボーナス（『ＪＡＣＩＮ』を除く）に内部当選したゲームでは、ボーナスの入賞が成立しないようにしている。また、一般遊技状態においてボーナスに内部当選した場合には、次回のゲームにおいて別の遊技状態へ移行する。従って、一般遊技状態においてボーナスの入賞が成立することはない。
【００５０】
再遊技の入賞は、一般遊技状態及び内部当選状態において「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行なうことができる。ここで、『ＦＴ』では、再遊技に内部当選したとき、「１０７／１２８」の確率で遊技者の停止操作（停止ボタン７Ｌ・７Ｃ・７Ｒの操作タイミング、或いは操作順序（停止順序））に拘らずその再遊技の入賞を不成立とするリールの停止制御（一般に、『蹴飛ばし制御』と称される）を行なう。この停止制御により、『ＦＴ』と『通常確率再遊技中』の再遊技の入賞が成立する確率を等しくしている。
【００５１】
また、一般遊技状態、内部当選状態、ＢＢ一般遊技状態及びＣＴ遊技一般状態では、『チェリーの小役』、『ベルの小役』、及び『プラムの小役』の入賞成立を実現することが可能であり、各入賞の払出し枚数は図７に示すとおりである。即ち、『プラムの小役』は「プラム−プラム−プラム」が有効ラインに沿って並ぶと実現し、１２枚のメダルを獲得することができ、『ベルの小役』は「ベル−ベル−ベル」が並ぶと実現し、１０枚のメダルを獲得することができる。また、『チェリーの小役』は、有効ラインの左端、つまり、有効ラインに位置するリール３Ｌの図柄が「チェリー（図柄９７）」であれば、リール３Ｃ・３Ｒがどの図柄であっても実現することができ、６枚のメダルを獲得することができる。尚、後述するが、『チェリーの小役』は有効ラインの左端がチェリーであれば実現するため、有効ライン数が７本の場合、『チェリーの小役』が重複して入賞することができ、最大１８枚のメダルを獲得することができる。
【００５２】
役物の入賞は、ＲＢ遊技状態において「Ｒｅｐｌａｙ−Ｒｅｐｌａｙ−Ｒｅｐｌａｙ」が並ぶことにより成立し、１５枚のメダルを獲得することができる。役物の入賞成立回数が「８回」となったとき、遊技状態が変化する。ここで、役物の入賞が成立する可能性のあるＲＢ遊技状態のゲームは、一般に『ＪＡＣゲーム』と称される。
【００５３】
次に、図８を参照して、ＢＥＴ数が「３」のとき、一般遊技状態、内部当選状態又はＢＢ一般遊技状態において当選役を決定する際に使用する確率抽選テーブルを説明する。
【００５４】
図８（１）は、通常確率再遊技中用（ＢＢ一般遊技状態用）確率抽選テーブルを示す。本実施例では、一般遊技状態とＢＢ一般遊技状態とにおいて、各当選役に内部当選する確率は同じであるため、何れも同じテーブルを用いる。この確率抽選テーブルでは、確率抽選処理における乱数の抽出範囲「０」〜「１６３８３」のうち、「３０３」〜「２５４７」の範囲内の乱数が抽出された場合に『再遊技』が当選役となる。『再遊技』に内部当選する確率は、「２２４５／１６３８４」である。図８（２）は、ＦＴ用確率抽選テーブルを示す。この確率抽選テーブルでは、確率抽選処理における乱数の抽出範囲「０」〜「１６３８３」のうち、「３０３」〜「１３９８３」の範囲内の乱数が抽出された場合に『再遊技』が当選役となる。『再遊技』に内部当選する確率は、「１３６８１／１６３８４」である。
【００５５】
これにより、『ＦＴ』では、『通常確率再遊技中』と比べて再遊技に内部当選する確率が高くなっている。尚、図８（１）・（２）に示すテーブルでは、『再遊技』及び『なし（はずれ）』以外に内部当選する確率は、同じである。例えば、ボーナスに内部当選する確率（ＢＢ又はＲＢの何れかに内部当選する確率）は、何れの確率抽選テーブルにおいても「３０３／１６３８４（約「１／５４．１」）」である。尚、『ＦＴ』及び『通常確率再遊技中』では、『再遊技』の入賞が成立する確率は、セレクトデータを用いた停止テーブル群の選択を行なうことにより等しくなっている。
【００５６】
次に、図９を参照して、ＢＥＴ数が「１」のとき、ＣＴ遊技状態において当選役を決定する際に使用する確率抽選テーブルを説明する。このＣＴ用確率抽選テーブルでは、『ＢＢ』と『ＲＢ』と『リプレイ（再遊技）』と『グループ役』とが役として存在し、これら役を「０」〜「１６３８３」の乱数範囲で内部当選させるようになっている。尚、グループ役は、上述の図８におけるプラムの小役とベルの小役とチェリーの小役とハズレとを集合した役に対応したものである。従って、内部当選する確率は、グループ役が最も高いものにされている。また、グループ役が当選する確率は、ＢＥＴ数が「１」〜「３」の何れであっても同一である。
【００５７】
次に、図１０を参照して、入賞ラインを有効化する数を決定するための入賞ライン有効化数決定テーブルについて説明する。このテーブルには、ＢＥＴ数と遊技状態とに対応する入賞ラインを有効化する数が示されている。ここで遊技状態は、ＢＢ一般遊技状態、それ以外の遊技状態（例えば一般遊技状態やＣＴ遊技状態等）に分けられている。本実施例では、ＢＥＴ数が「１」又は「２」の場合、遊技状態に関係なく、入賞ラインを有効化する数は、１本、３本となる。そして、ＢＢ一般状態で、ＢＥＴ数が「３」の場合、入賞ラインを有効化する数は７本（図１中の入賞ライン８ａ〜８ｇ）となり、それ以外の遊技状態では５本となる。前述したように、ＢＢ一般遊技状態と一般遊技状態とにおける各当選役に内部当選する確率は同じであるため、入賞ラインを有効化する数を一般遊技状態よりも多くすることで、入賞が成立する確率や入賞時の獲得メダル枚数を増やすことができ、さらに、１度の入賞でより多くのメダルを獲得することができる。
【００５８】
次に、図１１〜図１３を参照して、遊技状態と、当選役と、選択される停止テ−ブル群との関係について説明する。停止テーブル群とは、例えば、後述の図１４及び図１５に示すような停止テーブルの集合を示し、リール３Ｌ・３Ｃ・３Ｒの停止制御の際に選択されるものである。
【００５９】
ここで、選択される停止テーブル群の内容は、基本的に、遊技状態、当選役、セレクトデータ等に応じて変化し得るものであるが、実施例では、停止テーブル群の欄に示すテーブル群の名称を、基本的に入賞の可能性の有無及びその可能性がある役の種類に基づいて定めている。このため、実施例では、同一の名称の停止テーブル群が選択されたとしても、常にリール３Ｌ・３Ｃ・３Ｒの停止態様までもが一致するわけではない。また、ＢＢ一般遊技状態以外の遊技状態において『ベルの小役』に内部当選した場合には、後述のセレクトデータ抽選値テーブル（図１６（２））に基づいて『ベル入賞成立可能停止テーブルＡ群（以下『停止テーブルＡ群』という）』又は『ベル入賞成立可能停止テーブルＢ群（以下『停止テーブルＢ群』という）』が選択される。
【００６０】
入賞不成立停止テーブル群が選択された場合には、当選役、遊技状態に拘らず、何れの役の入賞も成立することはない。入賞成立可能停止テーブル群が選択された場合には、対応する役の入賞成立は可能であるが、その他の役の入賞成立を実現することは基本的にできない。例えば、『停止テーブルＡ群』が選択された場合には、『ベルの小役』の入賞成立を実現しうるが、ＢＢ等の他の役の入賞成立を実現することはできない。また、『再遊技入賞成立可能停止テーブル群』が選択された場合には、『再遊技』の入賞成立を実現しうるが、他の役の入賞成立を実現することはできない。
【００６１】
図１１に示すように、一般遊技状態においてボーナスに内部当選した場合には、入賞不成立停止テーブル群が選択される。このため、ボーナスの入賞成立を実現することはできない。
【００６２】
また、通常確率再遊技中ＢＢ内部当選状態においてボーナスに内部当選した場合には、入賞不成立停止テーブル群が選択され、ボーナスの入賞成立を実現することはできない。他方、『なし（ハズレ）』に内部当選した場合には、ＢＢ入賞成立可能停止テーブル群が選択されるので、ＢＢの入賞成立を実現することができる。尚、図８（１）に示すように、「１１４３７／１６３８４」の確率で『なし（ハズレ）』に内部当選する。
【００６３】
また、通常確率再遊技中ＲＢ内部当選状態においてボーナスに内部当選した場合には、入賞不成立停止テーブル群が選択され、ボーナスの入賞成立を実現することはできない。他方、当選役が『なし（ハズレ）』の場合には、ＲＢ入賞成立可能停止テーブル群が選択されるので、ＲＢの入賞成立を実現することができる。尚、図８（１）に示すように、「１１４３７／１６３８４」の確率で当選役が『なし（ハズレ）』となる。
【００６４】
図１２に示すように、高確率再遊技中ＢＢ内部当選状態において、ボーナスに内部当選した場合には、入賞不成立停止テーブル群が選択され、ボーナスの入賞成立を実現することはできない。同様に、『なし（ハズレ）』に内部当選した場合にも、入賞不成立停止テーブル群が選択されるので、ＢＢの入賞成立を実現することはできない。また、再遊技に内部当選した場合には、後述のセレクトデータ抽選値テーブル（図８（１））に基づいて再遊技入賞成立可能停止テーブル群又は入賞不成立停止テーブル群が選択される。
【００６５】
また、高確率再遊技中ＲＢ内部当選状態において、ボーナスに内部当選した場合には、入賞不成立停止テーブル群が選択され、ボーナスの入賞成立を実現することはできない。同様に、『なし（ハズレ）』に内部当選した場合にも、入賞不成立停止テーブル群が選択されるので、ＲＢの入賞成立を実現することはできない。また、再遊技に内部当選した場合には、後述のセレクトデータ抽選値テーブル（図８（１））に基づいて再遊技入賞成立可能停止テーブル群又は入賞不成立停止テーブル群が選択される。
【００６６】
図１３に示すように、ＢＢ一般遊技状態及びＲＢ遊技状態では、図示の停止テーブル群が選択され、リール３Ｌ・３Ｃ・３Ｒの停止制御が行われる。また、ＣＴ遊技状態では、図示の停止テーブル群が選択され、リール３Ｌ・３Ｃ・３Ｒの停止制御が行われる。具体的には、ボーナス（ＢＢ、ＲＢ）や再遊技が内部当選すれば、それぞれに対応した入賞可能停止テーブル群が選択される。一方、グループ役に内部当選した場合には、左のリール３Ｌについては滑りコマ数が１、中央のリール３Ｃについては滑りコマ数が０、右のリール３Ｒについては滑りコマ数が２として停止制御される。これにより、グループ役に内部当選した場合には、停止ボタン７Ｌを押圧してから滑りコマ数１のタイミングで左のリール３Ｌが停止し、停止ボタン７Ｃを押圧してから滑りコマ数０のタイミングで中央のリール３Ｃが停止し、停止ボタン７Ｒを押圧してから滑りコマ数２のタイミングで右のリール３Ｒが停止する。この結果、ＣＴ遊技状態においては、目押しによる遊技が高確率で実施できるようになっている。
【００６７】
次に、図１４及び図１５を参照して、停止テーブルの例について説明する。停止テーブルは、後述の滑りコマ数決定処理で使用される。停止テーブルを用いたリールの停止制御は、一般に『テーブル制御』と称される。
【００６８】
『停止テーブル』には、各リール３Ｌ・３Ｃ・３Ｒの『停止操作位置』、及び『停止制御位置』が示されている。『停止操作位置』は、各リール３Ｌ・３Ｃ・３Ｒに対応して設けられた停止ボタン７Ｌ・７Ｃ・７Ｒが操作されたとき、センターライン８ｃに位置していた図柄（具体的には、図柄の中心がセンターライン８ｃの上方に位置し、その中心がセンターライン８ｃの位置に最も近い図柄）のコードナンバーを表わす。『停止制御位置』とは、停止操作が行われたリールが停止したとき、センターライン８ｃの位置に停止表示される図柄のコードナンバーを表わす。
【００６９】
ここで、本実施例では、所謂『滑りコマ数』を最大「４コマ」としている。例えば、右のリール３Ｒの回転中において、コードナンバー「２０」の「チェリー（図３の図柄９７）」がセンターライン８ｃの位置に到達したとき、停止ボタン７Ｒが操作された場合、コードナンバー「１６」の「チェリー」をセンターライン８ｃの位置に停止表示するように右のリール３Ｒを停止制御することができる。『滑りコマ数』は、停止ボタンが操作された後、リールが停止するまでの間に表示窓内を移動した図柄の数を示す（リールが停止するまでの間における図柄の移動量（移動距離）を示す）。また、『滑りコマ数』は、停止ボタンが操作されたとき、所定の入賞ラインに位置していた図柄のコードナンバーと、実際にリールが停止したときに、その入賞ラインに停止した図柄のコードナンバーとの差の絶対値により表わされる。この『滑りコマ数』は、『引き込み数』と称されることもある。
【００７０】
図１４は、停止テーブルＡを示す。このテーブルは、停止テーブルＡ群に含まれ、「ベルーベルーベル」がクロスダウンライン８ａに沿って並び、ベルの小役の入賞が成立するようにリールを停止制御する際に使用される。
【００７１】
図１４において、左のリール３Ｌの『停止制御位置』は、コードナンバー「０４」・「０９」・「１２」・「１６」又は「２０」の何れかである。図３に示す図柄列において、これらに対応する図柄の一つ上の図柄は、「ベル（図柄９４）」である。
【００７２】
図１４において、中央のリール３Ｃの『停止制御位置』は、コードナンバー「０３」・「０７」・「１１」・「１５」又は「１９」の何れかである。図３に示す図柄列において、これらに対応する図柄は、「ベル」である。
【００７３】
図１４において、右のリール３Ｒの『停止制御位置』は、コードナンバー「００」・「０４」・「０９」・「１３」又は「１７」の何れかである。図３に示す図柄列において、これらに対応する図柄の一つ下の図柄は、「ベル」である。
【００７４】
以上のように、図１４に示す停止テーブルＡが各リール３Ｌ・３Ｃ・３Ｒの停止制御に使用された場合には、クロスダウンライン８ａの位置、即ち、左の表示窓４Ｌの上段・中央の表示窓４Ｃの中段・右の表示窓４Ｒ内の下段の位置に「ベル」が停止表示され、入賞が成立することとなる。
【００７５】
図１５は、停止テーブルＢを示す。このテーブルは、停止テーブルＢ群に含まれ、「ベルーベルーベル」がセンターライン８ｃに沿って並び、ベルの小役の入賞が成立するようにリールを停止制御する際に使用される。
【００７６】
図１５において、左のリール３Ｌの『停止制御位置』は、コードナンバー「０３」・「０８」・「１１」・「１５」又は「１９」の何れかである。図３に示す図柄列において、これらに対応する図柄は、「ベル（図柄９４）」である。
【００７７】
図１５において、中央のリール３Ｃの『停止制御位置』は、コードナンバー「０３」・「０７」・「１１」・「１５」又は「１９」の何れかである。図３に示す図柄列において、これらに対応する図柄は、「ベル」である。
【００７８】
図１５において、右のリール３Ｒの『停止制御位置』は、コードナンバー「０１」・「０５」・「１０」・「１４」又は「１８」の何れかである。図３に示す図柄列において、これらに対応する図柄は、「ベル」である。
【００７９】
以上のように、図１５に示す停止テーブルＢが各リール３Ｌ・３Ｃ・３Ｒの停止制御に使用された場合には、センターライン８ｃの位置、即ち、表示窓４Ｌ・４Ｃ・４Ｒ内の中央の位置に「ベル」が停止表示され、入賞が成立することとなる。
【００８０】
次に、図１６を参照して、セレクトデータを選択するためのストップ用セレクトデータ抽選値テーブルについて説明する。このテーブルには、遊技に関連する情報（遊技状態、終了抽選状態、当選役等）毎に、各セレクトデータに対応する抽選値が示されている。また、各セレクトデータには、停止テーブル群が予め対応付けられている。抽選値とは、抽出した乱数値から減算する値である。乱数値から抽選値を減算し、その減算した値が負である場合、その抽選値に対応する情報（例えば、セレクトデータ）が選択される。乱数の抽出範囲は、「０」〜「１２７」である。例えば、『ＦＴ』の場合、抽出した乱数値が「８１」のとき、初めに、この「８１」からセレクトデータ「１」に対応する抽選値「７１」を減算する。この減算した値は、「１０」である。次に、この「１０」からセレクトデータ「２」に対応する抽選値「３６」を減算する。この減算した値は、負となる。従って、乱数値が「８１」の場合には、セレクトデータとして「２」が選択される。
【００８１】
図１６（１）は、当選役が再遊技であるゲームにおいて使用されるストップ用セレクトデータ抽選値テーブルを示す。このテーブルでは、『通常確率再遊技中』及び『ＦＴ』に対応して、セレクトデータ「１」〜「３」の抽選値が示されている。セレクトデータ「１」及び「２」には、入賞不成立停止テーブル群が対応付けられている。また、セレクトデータ「３」には、再遊技入賞成立可能停止テーブル群が対応付けられている。
【００８２】
図１６（１）において、『通常確率再遊技中』では、セレクトデータ「１」及び「２」に対応する抽選値は「０」である。また、セレクトデータ「３」に対応する抽選値は「１２８」である。従って、『通常確率再遊技中』においてセレクトデータ「１」及び「２」が選択される場合はない。即ち、『通常確率再遊技中』において再遊技に内部当選した場合、必ず再遊技入賞成立可能停止テーブル群が選択される。
【００８３】
これに対し、『ＦＴ』では、各セレクトデータに対応して「０」以外の抽選値が示されている。従って、セレクトデータ「１」〜「３」の何れも選択される可能性がある。各セレクトデータが選択される確率の分子は、対応する抽選値となる（分母は、「１２８」）。従って、『ＦＴ』において再遊技に内部当選した場合、再遊技入賞成立可能停止テーブル群が選択される確率は、「２１／１２８」である。入賞不成立停止テーブル群が選択される確率は、「１０７／１２８」である。
【００８４】
ここで、前述（図８（２））のように、『ＦＴ』において再遊技に内部当選する確率は、「１３６８１／１６３８４」である。従って、『ＦＴ』において再遊技の入賞が成立する確率は、再遊技入賞成立可能停止テーブル群が選択される確率を考慮すると、約「０．１３７０（「１３６８１／１６３８４」×「２１／１２８」）」である。他方、『通常確率再遊技中』では、必ず再遊技入賞成立可能停止テーブル群が選択されるので、再遊技に内部当選する確率は、その入賞が成立する確率と等しい。即ち、『通常確率再遊技中』において再遊技の入賞が成立する確率は、約「０．１３７０（「２２４５／１６３８４）」である。以上のように、実施例では、『ＦＴ』及び『通常確率再遊技中』において再遊技の入賞が成立する確率が等しくなっている。
【００８５】
図１６（２）は、当選役がベルの小役であるＢＢ一般遊技状態以外の遊技状態のゲームにおいて使用されるストップ用セレクトデータ抽選値テーブルを示す。このテーブルでは、ＦＴ終了抽選状態「０」〜「３」に対応して、セレクトデータ「１」〜「３」の抽選値が示されている。このＦＴ終了抽選状態は、前回のゲームにおいて選択されたものである。セレクトデータ「１」には、停止テーブルＡ群が対応付けられている。また、セレクトデータ「２」には、停止テーブルＢ群が対応付けられている。ここで、セレクトデータ「３」に対応する抽選値は「０」であり、このテーブルにおいてセレクトデータとして「３」が選択される場合はない。
【００８６】
次に、図１７を参照して、ＦＴ終了抽選状態の選択比率番号テーブルについて説明する。このテーブルには、遊技状態、セレクトデータ、及び当選役に応じて選択比率番号等が示されている。選択比率番号とは、後述の図１８の選択比率値テーブルに示すように、変更するＦＴ終了抽選状態として「０」〜「３」の各々が選択される比率が予め定められた番号である。また、※が示された欄は、ＦＴ終了抽選状態の変更が行われないことを示す。また、遊技状態、セレクトデータ、及び当選役の全ての組合せのうち、実際に存在しない組合せに対応する欄には、選択比率番号及び※の何れも示されていない。例えば、図１６（２）では、セレクトデータとして「３」が選択されることがないため、当選役が『ベルの小役』、セレクトデータが「３」に対応する欄には、選択比率番号及び※の何れも示されていない。
【００８７】
次に、図１８を参照して、ＦＴ終了抽選状態の選択比率値テーブルについて説明する。このテーブルには、選択比率番号、設定値に応じて変更するＦＴ終了抽選状態に対応する抽選値が示されている。『設定値』とは、一般に「６段階」設けられ、遊技場側が『出玉率（機械割）』を調整するために選択する値である。
【００８８】
例えば、『選択比率番号』が「３」の場合、抽出した乱数値が「１０」のとき、初めに、この「１０」から変更する終了抽選状態「０」に対応する抽選値「０」を減算する。この減算した値は、「１０」である。次に、この「１０」から変更する終了抽選状態「１」に対応する抽選値「１７」を減算する。この減算した値は、負となる。従って、乱数値が「１０」の場合には、変更する終了抽選状態として「１」が選択される。これに対し、抽出した乱数値が「１７」以上の場合等のように、乱数値から各抽選値を減算しても負の値にならない場合には、抽選前のＦＴ終了抽選状態が継続（維持）される。
【００８９】
次に、図１９を参照して、ＦＴ終了抽選値の選択番号テーブルについて説明する。このテーブルには、セレクトデータ、ＦＴ終了抽選状態、及び当選役に応じて選択番号が示されている。選択番号とは、後述（図２０）のＦＴ終了抽選値と対応付けられた番号をいう。ここで、当選役が『ベルの小役』の場合、セレクトデータが「１」であれば必ず『ＦＴ』が継続する。これに対し、セレクトデータが「２」であればＦＴ終了抽選状態に拘らず選択番号として「４」が選択され、『ＦＴ』を終了させるか否かの抽選が行われる。
【００９０】
『ベルの小役』に内部当選したゲームにおいて、セレクトデータ「１」が選択された場合には停止テーブルＡ群に含まれる停止テーブルが使用される。セレクトデータ「２」が選択された場合には停止テーブルＢ群に含まれる停止テーブルが使用される。即ち、セレクトデータが「１」の場合には、クロスダウンライン８ａに沿って『ベルの小役』の入賞成立を示す図柄組合せが並ぶ。また、セレクトデータが「２」の場合には、センターライン８ｃに沿って『ベルの小役』の入賞成立を示す図柄組合せが並ぶ。従って、クロスダウンライン８ａに沿って『ベルの小役』の図柄組合せが並ぶ場合には、必ず『ＦＴ』が継続する。これに対し、センターライン８ｃに沿って並ぶ場合には、『ＦＴ』が終了する可能性がある。
【００９１】
即ち、停止制御手段は、『ベルの小役』に対応する図柄組合せ「ベルーベルーベル」を構成する図柄９４が並ぶ入賞ラインにより、通常確率再遊技中ＢＢ内部当選状態又は通常確率再遊技中ＲＢ内部当選状態の発生に関する情報を報知する。具体的には、図柄９４が並ぶ入賞ラインをクロスダウンライン８ａとすることにより、有利な状況が発生しないことを報知する。また、センターライン８ｃとすることにより、有利な状況が発生する可能性があること及びその確率が「８１９２／３２７６８（後述の図２０）」であることを報知する。遊技者は、『ベルの小役』の入賞ラインに基づいて、『ＦＴ』を終了させるための抽選に関する情報、即ち、『ＦＴ』が終了する可能性の有無、その確率を把握することができる。
【００９２】
次に、図２０を参照して、ＦＴ終了抽選値テーブルについて説明する。このテーブルには、選択番号及び設定値に応じてＦＴ終了抽選値が示されている。このＦＴ終了抽選値は、「０」〜「３２７６７」の範囲から抽出した乱数値の大きさと比較するものである。ＦＴ終了抽選値と比べて抽出した乱数値が小さい場合には、『ＦＴ』が終了（ＦＴ継続ゲーム回数を「０」に設定）となる。そうでない場合には、『ＦＴ』が継続する。例えば、選択番号が「４」の場合に『ＦＴ』が終了する確率は、「８１９２／３２７６８」である。
【００９３】
ここで、図２０においてＦＴ終了抽選値が大きいほど『ＦＴ』の終了に当選する確率が高くなる。従って、選択番号のうち、「０」が遊技者にとって最も有利な番号であり、「８」が最も不利な番号である。具体的には、各選択番号の遊技者にとっての有利さの度合いは、０→４→３→１→１０→５→９→２→６→７→８の順番で低くなっていく。また、図１９において各ＦＴ終了抽選状態に応じて選択される選択番号及び各選択番号の遊技者にとっての有利さの度合いを考盧すると、ＦＴ終了抽選状態のうち、「３」が最も有利な状態であり、「１」が最も不利な状態である。具体的には、各ＦＴ終了抽選状態の遊技者にとっての有利さの度合いは、３→２→０→１の順番で低くなっていく。
【００９４】
また、図１８において選択比率番号毎に変更するＦＴ終了抽選状態に対応して定められた抽選値の大きさ及び各ＦＴ終了抽選状態の遊技者にとっての有利さの度合いを考慮すると、選択比率番号のうち、基本的に「０」が最も有利な番号であり、「３」が最も不利な番号である。具体的には、選択比率番号の遊技者にとっての有利さの度合いは、０→１→２→５→４→３の順番で低くなっていく。また、図１７において各セレクトデータに応じて選択される選択比率番号及び各選択比率番号の遊技者にとっての有利さの度合いを考慮すると、セレクトデータのうち、「２」が最も有利なデータであり、「３」が最も不利なデータである。尚、セレクトデータ「０」は、ＲＢ遊技状態においてのみ選択されるので、他のデータとの有利さの度合いの比較は行っていない。
【００９５】
次に、図２１を参照して、ＢＢ内部当選設定比率テーブルについて説明する。このテーブルには、ＦＴ終了抽選状態に応じてＢＢ内部当選設定比率が示されている。ＢＢ内部当選設定比率とは、次ボーナスをＢＢ又はＲＢの何れとするかを決定するための情報をいう。具体的には、このＢＢ内部当選設定比率と比べて「０」〜「２５５」の範囲から抽出した乱数値が小さい場合には、次ボーナスをＢＢと決定し、大きい場合には、ＲＢと決定する。
【００９６】
次に、図２２を参照して、入賞判定テーブルについて説明する。このテーブルは、入賞成立する場合に、センターライン８ｃに停止表示する各リール３Ｌ・３Ｃ・３Ｒの図柄のコードナンバー（図３）が示されている。図２２は、ＢＢ一般遊技状態で、ＢＥＴ数が「３」、つまり、入賞ラインを有効化する数が７本で、『ベル』が内部当選している場合に使用する入賞判定テーブルである。例えば、センターライン８ｃに、左リール３Ｌの「０４」、中央リールの「０４」、右リール３Ｒの「０１」が停止表示されている場合は、「ベルーベルーベル」がトップダウンライン８ｆに沿って並び、ベルの小役の入賞が成立していることとなる。
【００９７】
以上のように説明した図８〜図２２の各テーブルは、図５の主制御回路７１におけるＲＯＭ３２に格納されている。一方、図６に示すように、副制御回路７２のプログラムＲＯＭ７５及び画像ＲＯＭ８６には、ＡＴ演出用データ選択テーブルや演出用分類データテーブル等が格納されている。即ち、ＡＴ演出用データ選択テーブルには、図２３に示すように、主制御回路７１から送信された内部当選役と、副制御回路７２で使用される演出用識別子ＡＴ１〜ＡＴ４とが示されている。具体的に、図２３を参照してＡＴ演出用データ選択テーブルについて説明する。例えば、主制御回路７１から送信された内部当選役がＢＢの場合は、演出用識別子としてＡＴ１が選択される。同様にして他の内部当選役がＲＢ、チェリー、プラムの場合は、演出用識別子としてＡＴ２、ＡＴ３、ＡＴ４がそれぞれ選択される。
【００９８】
上記の演出用識別子ＡＴ１〜ＡＴ４は、以下の内容をそれぞれ含んでいる。具体的には、演出用識別子ＡＴ１は、「ＢＢを揃える」という内容を含んでいる。演出用識別子ＡＴ２は、「ＲＢを揃える」という内容を含んでいる。演出用識別子ＡＴ３は、「チェリーを揃える」という内容を含んでいる。演出用識別子ＡＴ４は、「プラムを揃える」という内容を含んでいる。尚、本実施形態においては、４種類の演出用識別子ＡＴ１〜ＡＴ４を例示しているが、１種類であっても良いし、２種類以上であってもよい。また、演出用識別子ＡＴ１〜ＡＴ４は、上記の内容に限定されるものでもない。さらに、各演出用識別子ＡＴ１〜ＡＴ４は、上述の各内容を図２の液晶表示装置５に表示すると共に、各内容に応じたリズムやタイミングで図２のＬＥＤランプ２９やスピーカ２１Ｌ・２１Ｒを駆動するようになっていても良いし、液晶表示装置５への表示の代わりに、ＬＥＤランプ２９やスピーカ２１Ｌ・２１Ｒのみを駆動するようになっていても良い。さらに、各演出用識別子ＡＴ１〜ＡＴ４は、上述の各内容を液晶表示装置５に表示した内容とは別に、払い出し枚数の大きな可能性がある内部当選になるほどＬＥＤランプ２９の点滅間隔が短くなったり、スピーカ２１Ｌ・２１Ｒの音声が高くなったり、リズム感のある音楽に変化されていっても良い。
【００９９】
次に、図２４を用いて演出用分類データテーブルについて説明する。演出用分類データテーブルには、例えば大分類データと小分類データとが示されている。大分類データは、液晶表示装置５において全画面を用いて表示される大容量の画像データを示している。小分類データは、大分類データに含まれる一部のデータを書き換える程度の小容量の画像データを示している。例えば液晶表示装置５における画像部分及び文字部分を含む全画像が大分類に属し、文字部分の画像が小分類に属している。
【０１００】
大分類データは、主制御回路７１から送信されるコマンド信号の１種類に対応して１または複数用意されている。例えば遊技メダル投入コマンドを受信したことに基づいて液晶表示装置５に表示するための画像データは、ＢＥＴ演出データ、・・・、ＡＴ１演出データ（開始）〜ＡＴ４演出データ（開始）のように複数の種類が用意されており、主制御回路７１から送信される他のコマンド等により、これら複数の大分類データから所定のデータを選択するように構成されている。
【０１０１】
具体的に説明すると、事前に主制御回路７１から送信されたＢＢの内部当選役に基づいて演出用識別子ＡＴ１が選択された場合は、ＡＴ１演出データ（開始）が選択され、その大分類に含まれる小分類データであるドンちゃん出現画像とＡＴ１用吹出出現用画像とを並列的な処理により両方の小画像データに対応する表示、即ち、小さな点が拡大してドンちゃんの形状に変化する画像表示と、小さな点が拡大して『ＢＢを揃えるんでい』の文字が描かれた吹出しに変化する画像表示を行なうように制御される。
【０１０２】
尚、演出用分類データテーブルは、書き換えるデータの容量によっては大分類、中分類及び小分類に区分されていても良い。また、ＬＥＤランプ２９やスピーカ２１Ｌ・２１Ｒを演出用識別子ＡＴ１〜ＡＴ４により駆動する場合には、ＬＥＤランプ２９の駆動データやスピーカ２１Ｌ・２１Ｒの音声データが演出用分類データテーブルに含まれる。
【０１０３】
次に、図２５に示すメインフローチャートを参照して、主制御回路７１のＣＰＵ３１の制御動作について説明する。初めに、ＣＰＵ３１は、遊技開始時の初期化を行なう（ステップ［以下、Ｓと表記する］１）。具体的には、ＲＡＭ３３の記憶内容の初期化、通信データの初期化等を行なう。続いてゲーム終了時のＲＡＭ３３の所定の記憶内容を消去する（Ｓ２）。具体的には、前回のゲームに使用されたＲＡＭ３３の書き込み可能エリアのデータの消去、ＲＡＭ３３の書き込みエリアへの次回のゲームに必要なパラメータの書き込み、次回のゲームのシーケンスプログラムの開始アドレスの指定等を行なう。
【０１０４】
次に、ＣＰＵ３１は、メダル投入処理を行う（Ｓ３）。具体的には、１〜３枚のメダルが投入されるか、ＢＥＴスイッチ１１・１２・１３の何れかが押されてクレジットされているメダルのうち１〜３枚が賭けられるまで待機し、その賭けられたメダルのＢＥＴ数に応じて１−ＢＥＴランプ９ａ、２−ＢＥＴランプ９ｂ、最大ＢＥＴランプ９ｃを点灯させる。そして、ＢＥＴ数をＲＡＭ３３に一時的に格納する。この時、ＢＥＴ数に応じて、音などで報知するようにしてもよい。そして、入力があると、メダル投入信号を副制御回路７２に送信した後、続いてスタートレバー６の操作に基づくスタートスイッチ６Ｓからの入力があるか否かを判定する（Ｓ４）。入力がない場合には（Ｓ４，ＮＯ）、Ｓ４を繰り返すことにより入力待ちの状態となり、入力があった場合には（Ｓ４，ＹＥＳ）、リールの回転処理を行なうと共に（Ｓ５）、抽選用の乱数を抽出する（Ｓ６）。そして、遊技状態監視処理を実行することによって、今回のゲームにおける遊技状態を確認する（Ｓ７）。尚、リール回転処理（Ｓ５）は、後述のＦＴ終了抽選処理（Ｓ１１）の処理後に行なっても良い。
【０１０５】
即ち、図２６に示すように、遊技状態監視処理ルーチンを実行し、遊技状態がＢＢ一般遊技状態又はＲＢ遊技状態であるか否かを判定する（Ｓ３１）。ＢＢ一般遊技状態及びＲＢ遊技状態の何れかの遊技状態である場合には（Ｓ３１，ＹＥＳ）、それぞれの遊技状態に合わせて遊技状態をセットし（Ｓ３２）、本ルーチンを終了する。一方、何れの遊技状態でもない場合には（Ｓ３１，ＮＯ）、ヒットリクエストフラグが「１０（Ｈ）」であるか否かを判定する（Ｓ３３）。そして、「１０（Ｈ）」である場合には（Ｓ３３，ＹＥＳ）、遊技状態をＲＢ内部当選状態にセットし（Ｓ３４）、本ルーチンを終了する。一方、「１０（Ｈ）」でない場合には（Ｓ３３，ＮＯ）、続いてヒットリクエストフラグが「２０（Ｈ）」であるか否かを判定し（Ｓ３５）、「２０（Ｈ）」である場合には（Ｓ３５，ＹＥＳ）、遊技状態をＢＢ内部当選状態にセットし（Ｓ３６）、本ルーチンを終了する。また、ヒットリクエストフラグが「２０（Ｈ）」でない場合には（Ｓ３５，ＮＯ）、本ルーチンの開始前の遊技状態、即ち、遊技状態を一般遊技状態またはＣＴ遊技状態にセットし（Ｓ３７）、本ルーチンを終了する。
【０１０６】
上記の遊技状態監視処理ルーチンを実行することによって、今回のゲームの遊技状態がＢＢ一般遊技状態、ＲＢ遊技状態、ＲＢ内部当選状態、ＢＢ内部当選状態、一般遊技状態及びＣＴ遊技状態の何れかにセットされると、図２５に示すように、メインルーチンに実行が戻される。そして、確率抽選処理の実行により当選役を抽選する（Ｓ８）。
【０１０７】
即ち、図２７に示すように、確率抽選処理ルーチンを実行することによって、今回の遊技状態がＲＢ遊技状態であるか否かを判定する（Ｓ４１）。ＲＢ遊技状態である場合には（Ｓ４１，ＹＥＳ）、図示しないＲＢ中用確率抽選テーブルに基づいて当選役の抽選を行い（Ｓ４７）、『ＢＢ』〜『なし（ハズレ）』までの７種類の役から抽選した当選役の情報をＲＡＭ３３に格納する（Ｓ４８）。
【０１０８】
一方、ＲＢ遊技状態でない場合には（Ｓ４１，ＮＯ）、現在の遊技状態がＢＢ一般遊技状態か否かを判定する（Ｓ４２）。ＢＢ一般遊技状態である場合には（Ｓ４２，ＹＥＳ）、図８（１）の通常確率再遊技中用（ＢＢ一般遊技状態用）確率抽選テーブルに基づいて当選役の抽選を行なう（Ｓ４５）。尚、前述したようにＢＢ一般遊技状態と一般遊技状態とにおける当選役に内部当選する確率は同じであるため、ＢＢ一般遊技状態で用いるテーブルと通常確率再遊技中用確率抽選テーブルとは同じである。ＢＢ一般遊技状態でない場合には（Ｓ４２，ＮＯ）、続いて、現在の遊技状態がＣＴ遊技状態であるか否かを判定する（Ｓ４３）。ＣＴ遊技状態である場合には（Ｓ４３，ＹＥＳ）、図９のＣＴ用確率抽選テーブルに基づいて当選役の抽選を行なう（Ｓ４９）。そして、『ＢＢ』、『ＲＢ』、『再遊技』』及び『グループ役』からなる４種類の役から抽選した当選役の情報をＲＡＭ３３に格納する（Ｓ４８）。
【０１０９】
ＣＴ遊技状態でない場合には（Ｓ４３，ＮＯ）、続いて、ＦＴ（高確率再遊技期間）フラグが「オフ」であるか否か、即ち、『通常確率再遊技中』であるか否かを判別する（Ｓ４４）。ＦＴフラグが「オフ」の場合には（Ｓ４４，ＹＥＳ）、『通常確率再遊技中』であると判断し、図８（１）の通常確率再遊技中用確率抽選テーブルに基づいて当選役の抽選を行なう（Ｓ４５）。そして、『ＢＢ』〜『なし（ハズレ）』までの７種類の役から抽選した当選役の情報をＲＡＭ３３に格納する（Ｓ４８）。
【０１１０】
また、ＦＴフラグが「オフ」でない場合には（Ｓ４４，ＮＯ）、今回のゲームが高確率再遊技期間におけるものであると判断し、図８（２）のＦＴ用確率抽選テーブルに基づいて当選役の抽選を行なう（Ｓ４６）。そして、『ＢＢ』〜『なし（ハズレ）』までの７種類の役から抽選した当選役の情報をＲＡＭ３３に格納する（Ｓ４８）。
【０１１１】
上記のようにして遊技状態と高確率再遊技期間の有無とで選択された確率抽選テーブルに基づいて当選役を抽選すると、図２８に示すように、続いて当選役がＢＢ又はＲＢであるか否かを判定する（Ｓ５１）。ＢＢ及びＲＢの何れでもない場合には（Ｓ５１，ＮＯ）、本確率抽選処理ルーチンを終了する。一方、ＢＢ又はＲＢである場合には（Ｓ５１，ＹＥＳ）、内部当選したボーナスの種別に応じてＢＢストック数又はＲＢストック数に「１」を加算する（Ｓ５２）。この後、セットされているヒットリクエストフラグが「１０（Ｈ）」又は「２０（Ｈ）」であるか否かを判定する（Ｓ５３）。ヒットリクエストフラグが「１０（Ｈ）」又は「２０（Ｈ）」である場合には（Ｓ５３，ＹＥＳ）、ボーナスゲームがストックされている状態であると判断して本確率抽選処理ルーチンを終了する。
【０１１２】
一方、ヒットリクエストフラグが「１０（Ｈ）」及び「２０（Ｈ）」の何れでもない場合には（Ｓ５３，ＮＯ）、ボーナスゲームがストックされていない状態であると判断し、ボーナスの種別に基づいてヒットリクエストフラグをセット（記憶）する。具体的には、当選役がＲＢであるときは、ヒットリクエストフラグとして「１０（Ｈ）」をセットし、ＢＢであるときは、「２０（Ｈ）」をセットする（Ｓ５４）。続いて、内部当選したボーナスのストック数から「１」を減算し、Ｓ５２で加算したストック数を「０」に戻す（Ｓ５５）。この後、ＦＴフラグを「オン」とした後（Ｓ５６）、ＦＴ継続ゲーム回数を「１５００」に設定し（Ｓ５７）、本確率抽選処理ルーチンを終了する。
【０１１３】
上記のようにして確率抽選処理ルーチンにより当選役を決定すると、この当選役を副制御回路７２に送信した後、図２５に示すように、メインルーチンに実行が戻される。そして、ストップ用セレクトデータ（停止テーブル群）を抽選により決定する（Ｓ９）。
【０１１４】
具体的には、今回のゲームの遊技状態の種別と、高確率再遊技期間（ＦＴ）の有無と、当選役の種類とを用いて図１１〜図１３における特定の停止テーブル群を選択する。この際、ベルの小役が当選役である場合には、図１６（２）に示すように、ストップ用セレクトデータ抽選値テーブルに基づいて抽選されたストップ用セレクトデータ「１」・「２」に対応する停止テーブルＡ群及び停止テーブルＢ群がそれぞれ選択される。尚、ストップ用セレクトデータは、前回のゲームで選択されたＦＴ終了抽選状態「０」〜「４」に応じて抽選されるものであり、ＦＴ終了抽選状態「０」〜「３」は、高確率再遊技期間が終了し易いという遊技者にとっての有利度（３＞２＞０＞１）を示し、有利度の高い順からストップ用セレクトデータ「２」を抽選するようになっている。また、ＦＴ終了抽選状態「４」は、高確率再遊技期間におけるミッションモードであることを示している。
【０１１５】
これにより、ストップ用セレクトデータ「１」により停止テーブルＡ群が選択されることによって、リール停止によりクロスダウンラインに沿ってベルの入賞が成立すると、この状態を見た遊技者は、現時点では高確率再遊技期間が終了し難い状態である可能性が高いということを認識しながらゲームを続けることができる場合がある。一方、ストップ用セレクトデータ「２」により停止テーブルＢ群が選択されることによって、リール停止によりセンターラインに沿ってベルの入賞が成立すると、この状態を見た遊技者は、高確率再遊技期間が終了し易い状態ある可能性が高いということを認識しながらゲームを続けることができる場合がある。
【０１１６】
停止テーブル群が選択されると、ＦＴ終了抽選状態選択処理が実行される（Ｓ１０）。即ち、図２９に示すように、ＦＴ終了抽選状態選択処理ルーチンが実行され、先ず、ＦＴフラグがオンであるか否かが判定される（Ｓ６１）。ＦＴフラグがオンでない場合には（Ｓ６１，ＮＯ）、現在は高確率再遊技期間でないと判断して本ルーチンが終了される。一方、ＦＴフラグがオンである場合には（Ｓ６１，ＹＥＳ）、高確率再遊技期間であると判断し、図１７の選択比率番号テーブルに基づいてＦＴ終了抽選状態の選択比率番号を決定する（Ｓ６２）。次に、ＦＴ終了抽選状態の移行なしであるか否かを判定する（Ｓ６３）。移行なしの場合には（Ｓ６３，ＹＥＳ）、本ルーチンを終了し、移行ありの場合には（Ｓ６３，ＮＯ）、図１８の選択比率値テーブルと、選択比率番号、設定値、乱数値とに基づいてＦＴ終了抽選状態を抽選し（Ｓ６４）、抽選したＦＴ終了抽選状態を副制御回路７２に送信する（Ｓ６５）。そして、当選したＦＴ終了抽選状態に変更し（Ｓ６６）、本ルーチンを終了する。
【０１１７】
上記のようにしてＦＴ終了抽選状態選択処理を終了すると、図２５に示すように、メインルーチンに実行が戻される。そして、ＦＴ終了抽選処理を実行する（Ｓ１０）。即ち、図３０に示すように、ＦＴ終了抽選処理を実行し、先ずＦＴフラグがオンであるか否かを判定する（Ｓ７１）。オンでない場合には（Ｓ７１，ＮＯ）、高確率再遊技期間でないとして本ルーチンを終了する。一方、オンである場合には（Ｓ７１，ＹＥＳ）、ＦＴ継続ゲーム回数を「１」減算し（Ｓ７２）、続いてＦＴ継続ゲーム回数が「０」であるか否かを判定する（Ｓ７３）。ＦＴ継続ゲーム回数が「０」である場合には（Ｓ７３，ＹＥＳ）、高確率再遊技期間が終了したと判断して本ルーチンを終了する。一方、ＦＴ継続ゲーム回数が「０」でない場合には（Ｓ７３，ＮＯ）、セレクトデータ、ＦＴ終了抽選状態、当選役及び選択番号テーブル（図１９）に基づいてＦＴ終了抽選値の選択番号を決定し（Ｓ７４）、この決定した選択番号と、設定値、乱数値及びＦＴ（高確率再遊技期間）終了抽選値テーブル（図２０）に基づいて高確率再遊技期間を終了させるか否かを抽選する（Ｓ７５）。そして、このようにして抽選した結果により高確率再遊技期間の終了に当選したか否かを判定する（Ｓ７６）。高確率再遊技期間の終了に当選しなかった場合には（Ｓ７６，ＮＯ）、本ルーチンを終了し、当選した場合には（Ｓ７６，ＹＥＳ）、ＦＴ継続ゲーム回数を「０」に設定し（Ｓ７７）、本ルーチンを終了する。
【０１１８】
次に、上記のようにしてＦＴ終了抽選処理が完了すると、ＦＴ終了抽選状態信号「１」〜「３」を副制御回路７２に送信した後、図２５のメインルーチンに処理が戻される。そして、リール回転停止処理が実行される。即ち、何れかの停止ボタン７Ｌ・７Ｃ・７Ｒが操作されたタイミングや自動停止タイマの値が「０」になったタイミングで滑りコマ数を決定するための滑りコマ数決定処理を行なう。具体的には、Ｓ９において決定（選択）されたセレクトデータに対応する停止テーブル群の中から停止テーブルを選択し、選択した停止テーブル、停止操作位置及び停止制御位置に基づいて滑りコマ数を決定する。続いて、滑りコマ数分、停止操作された停止ボタンに対応するリールを回転させてから停止させる。尚、停止ボタン（停止操作手段）７Ｌ・７Ｃ・７Ｒが操作されると、操作される毎にリール停止信号（左、中、右）を副制御回路７２に送信する。また、全てのリールが停止したときに、全リール停止信号を副制御回路７２に送信する（Ｓ１１）。
【０１１９】
次に、図２５に示すように、ＣＰＵ３１は入賞検索を行なう。入賞検索とは、表示窓４Ｌ・４Ｃ・４Ｒの図柄の停止態様に基づいて入賞役（入賞が成立した役）を識別するための入賞フラグをセットすることである。具体的には、センターライン８ｃに沿って並ぶ図柄のコードナンバー及び入賞判定テーブルに基づいて入賞役を検索する（Ｓ１２）。即ち、図３１に示す入賞検索処理を実行し、まず、ＢＥＴ数が「３」か否かを判定する（Ｓ８１）。つまり、ＲＡＭ３３に格納されているＢＥＴ数を検出する。尚、ＢＥＴランプ９ａ〜９ｃのいずれのランプが点灯しているかでＢＥＴ数を取得するようにしても良い。ＢＥＴ数が「３」の場合（Ｓ８１，ＹＥＳ）、遊技状態がＢＢ一般遊技状態か否かを判定する（Ｓ８２）。ＢＢ一般遊技状態の場合（Ｓ８２，ＹＥＳ）、有効ライン数（入賞ラインを有効化する数）を７本に設定する（Ｓ８３）。つまり、全ての入賞ライン８ａ〜８ｇを有効化する。そして、設定した有効ライン数とＲＡＭ３３に格納された内部当選役とに対応する入賞判定テーブルに基づいて入賞を検索する（Ｓ９１）。例えばこの場合、内部当選役がベルの小役であれば、図２２に示す入賞判定テーブル内に、センターライン８ｃに停止表示されている各リールのコードナンバーが有るかを検索する。
【０１２０】
一方、ＢＥＴ数が「３」でない場合（Ｓ８１，ＮＯ）、続いてＢＥＴ数が「２」か否かを判定する（Ｓ８８）。ＢＥＴ数が「２」の場合（Ｓ８８，ＹＥＳ）、有効ライン数を３本（有効ライン８ａ〜５ｅのうち何れか３本）に設定し（Ｓ８９）、ＢＥＴ数が「２」でない場合（Ｓ８８，ＮＯ）、有効ライン数を１本（有効ライン８ａ〜５ｅのうち何れか１本）に設定する（Ｓ９０）。そして、前述のように、有効ライン数と内部当選役とに対応する入賞判定テーブルに基づいて入賞を検索する（Ｓ９１）。
【０１２１】
検索後、入賞成立か否かを判定する（Ｓ９２）。つまり、センターライン８ｃに停止表示されている各リールのコードナンバーが入賞判定テーブルに存在するか否かを判定する。入賞成立の場合（Ｓ９２，ＹＥＳ）、成立した入賞役に応じて得られるメダルの合計枚数が１５枚以上か否かを判定する（Ｓ９３）。１５枚以上の場合（Ｓ９３，ＹＥＳ）、遊技者が獲得できる枚数を１５枚に制限する（Ｓ９４）。つまり、本実施例では１回のゲームにおいて獲得できるメダルは１５枚となっている。その後、入賞検索処理ルーチンを終了する。入賞成立していない場合（Ｓ９２，ＮＯ）、また、獲得できるメダルが１５枚以上でない場合（Ｓ９４，ＮＯ）、入賞検索処理ルーチンを終了する。
【０１２２】
また、ＢＢ一般遊技状態でない場合（Ｓ８２，ＮＯ）、有効ライン数を５本に設定する（Ｓ８４）。つまり、入賞ライン８ａ〜８ｅを有効化する。続いて遊技状態がＣＴ遊技状態か否かを判定する（Ｓ８５）。ＣＴ遊技状態の場合（Ｓ８５，ＹＥＳ）、内部当選役がＢＢ、ＲＢ又は再遊技か否かを判定する（Ｓ８６）。内部当選役がＢＢ、ＲＢ又は再遊技の場合（Ｓ８６，ＹＥＳ）、有効ライン数と内部当選役に対応する入賞判定テーブルに基づいて入賞を検索する（Ｓ９１）。内部当選役がＢＢ、ＲＢ又は再遊技でない場合（Ｓ８６，ＮＯ）、有効ライン数に対応する入賞判定テーブルに基づいて入賞を検索する（Ｓ８７）。具体的には、この場合、内部当選役に関係なく『目押し』によって入賞ラインに図柄を停止すれば入賞成立するため、内部当選役に関係なく有効ライン数に対応する入賞テーブルに、有効ライン上に停止表示されている図柄（例えば「ベルーベルーベル」）のコードナンバーを検索する。また、ＣＴ遊技状態でない場合（Ｓ８５，ＮＯ）、有効ライン数と内部当選役に対応する入賞判定テーブルに基づいて入賞を検索する（Ｓ９１）。その後、前述のように、入賞成立か否かを判定し（Ｓ９２）、入賞検索処理ルーチンを終了する。
【０１２３】
ところで、この図３１の入賞検索処理において、遊技状態がＢＢ一般遊技状態で、ＢＥＴ数が「３」の場合に、有効ライン数を７本に設定することで、遊技者が容易に入賞成立によりメダルを獲得することができる。ＢＢ一般遊技状態では獲得可能なメダルの総数が増大するが、前述したように、一般遊技状態とＢＢ一般遊技状態とにおいて、当選役に内部当選する確率は同じであるため、ＢＢ一般遊技状態で、規定のメダル総数を獲得するまでに多大な時間を有してしまい、遊技者の興趣が低下してしまうおそれがある。このため、ＢＢ一般状態で、ＢＥＴ数が「３」の場合だけ、有効ライン数を７本に増加させる（他の遊技状態でＢＥＴ数が「３」の場合は有効ライン数は５本）ことで入賞成立を容易にでき、また、１度の入賞でより多くのメダルを獲得することができるため、規定のメダル総数を獲得するまでの時間を短縮でき、遊技者の興趣を向上させることができる。例えば、有効ライン数が７本で、表示窓４Ｌの上段にチェリーが位置する場合、入賞ライン８ａ・８ｂ・８ｆの３ラインにおいて「チェリーの小役」が重複して入賞することにより最大１８枚（払出し数は１５枚）のメダルを獲得することができる（図７）。
【０１２４】
尚、本実施例では、ＢＢ一般遊技状態の場合に有効ライン数が７本となるようにしているが、ＣＴ遊技状態でＢＥＴ数が「３」の場合に有効ライン数が７本となるようにしてもよい。ＣＴ遊技状態では、『チェリーの小役』等は内部当選に関係なく遊技者の『目押し』によって入賞成立を実現することができ、遊技者の技術に依存してしまう。このため、有効ライン数を増やすことにより、入賞成立の確率が遊技者の技術にさほど左右されず、目押しが不得意な遊技者であってもより多くのメダルを獲得することができる。
【０１２５】
この後、獲得したメダルのクレジット又は払出しを行なうと共に、入賞役に応じて遊技状態をＢＢ遊技状態或いはＲＢ遊技状態へ移行する（Ｓ１３）。具体的には、入賞成立によりメダルを獲得する場合は、払出表示部１８にメダルの獲得枚数を表示する。そして、遊技者がＣ／Ｐスイッチ１４を切替えることにより、獲得したメダルを遊技機１内にクレジットするか、メダル払出口１５からメダルを払い出すかを選択することができる。尚、クレジットしたメダルは、次ゲームでＢＥＴスイッチ１１〜１３を押すことによりメダルを賭けることができる。
【０１２６】
再び図２５のメインルーチンに戻り、現在の遊技状態がＢＢ一般遊技状態又はＲＢ遊技状態であるか否かを判定する（Ｓ１４）。遊技状態がＢＢ一般遊技状態又はＲＢ遊技状態でない場合には（Ｓ１４，ＮＯ）、続いて遊技状態がＣＴ遊技状態か否かを判定する（Ｓ１５）。ＣＴ遊技状態である場合には（Ｓ１５，ＹＥＳ）、ＣＴ遊技状態の繰り返されたＣＴ遊技回数が所定回数に到達したか否かが判定される（Ｓ２７）。所定のＣＴ遊技回数でなれけば（Ｓ２７，ＮＯ）、次ゲームにおいてもＣＴ遊技状態を継続するようにＳ２に戻る。一方、所定のＣＴ遊技回数である場合には（Ｓ２７，ＹＥＳ）、次ボーナス抽選処理を実行し、ＣＴ遊技状態を他の遊技状態にセットした後（Ｓ２８）、Ｓ２に戻る。尚、次ボーナス抽選処理の具体的内容については後述する。
【０１２７】
また、Ｓ１５において、ＣＴ遊技状態でない場合には（Ｓ１５，ＮＯ）、続いてＦＴフラグがオンか否かを判定する（Ｓ１６）。ＦＴフラグがオンでなければ（Ｓ１６，ＮＯ）、高確率再遊技期間でないと判断してＳ２を再実行し、ＦＴフラグがオンであれば（Ｓ１６，ＹＥＳ）、高確率再遊技期間であると判断し、続いてＦＴ継続ゲーム回数が「０」である否かを判定すると共に、ゲーム回数信号を副制御回路７２に送信する（Ｓ１７）。ＦＴ継続ゲーム回数が「０」でない場合には（Ｓ１７，ＮＯ）、高確率再遊技期間の途中の状態であると判断してＳ２を再実行し、ＦＴ継続ゲーム回数が「０」である場合には（Ｓ１７，ＹＥＳ）、高確率再遊技期間が終了したと判断してＦＴフラグをオフに切替えた後（Ｓ１８）、Ｓ２を再実行する。
【０１２８】
また、Ｓ１４において、遊技状態がＢＢ一般遊技状態又はＲＢ遊技状態である場合には（Ｓ１４，ＹＥＳ）、ボーナスの『遊技数チェック処理』を行なう（Ｓ１９）。この『遊技数チェック処理』では、ＲＢ遊技状態が発生した回数、ＢＢ一般遊技状態のゲーム回数、ＲＢ遊技状態における入賞回数、及びＲＢ遊技状態におけるゲーム回数をチェックすると共に、ＢＢ一般遊技状態及びＲＢ遊技状態間における遊技状態の移行（セット）を行なう。
【０１２９】
次に、ボーナスの終了時であるか否かを判定する（Ｓ２０）。具体的には、ＢＢの入賞が成立した後では、３回目のＲＢ遊技状態において入賞回数が８回又はゲーム回数が１２回であるか、又はＢＢ一般遊技状態においてゲーム回数が３０回であるか否かを判別する。また、「ＢＡＲ−ＢＡＲ−ＢＡＲ」が有効ラインに沿って並ぶことによりＲＢの入賞が成立した後では、ＲＢ遊技状態において入賞回数が８回又はゲーム回数が１２回であるか否かを判別する。この結果、ボーナスの終了時でないと判定した場合には（Ｓ２０，ＮＯ）、Ｓ２を再実行する。一方、ボーナスの終了時であると判定した場合には（Ｓ２０，ＹＥＳ）、ボーナス終了信号を副制御回路７２に出力する（Ｓ２１）。
【０１３０】
この後、ＣＴ抽選処理を実行し、次回のゲームをＣＴ遊技状態に移行するか否かを抽選する（Ｓ２２）。そして、ＣＴに当選したか否かを判定し（Ｓ２３）、ＣＴに当選した場合には（Ｓ２３，ＹＥＳ）、遊技状態をＣＴ遊技状態にセットした後（Ｓ２４）、ＣＴ当選信号を副制御回路７２に出力する（Ｓ２５）。一方、ＣＴに当選しなかった場合には（Ｓ２３，ＮＯ）、次ボーナス抽選処理を実行する（Ｓ２６）。
【０１３１】
上記の次ボーナス抽選処理は、図３２に示すように、次ボーナス抽選処理ルーチンを実行することにより実行される。即ち、ＢＢストック数及びＲＢストック数の両方が「１以上」であるか否かを判定する（Ｓ１０１）。「１以上」である場合には（Ｓ１０１，ＹＥＳ）、ＦＴ終了抽選状態、乱数値及びＢＢ内部当選設定比率テーブル（図２１）に基づいて抽選（次ボーナスの選択）を行なう（Ｓ１０２）。続いて、決定（選択）したボーナスのヒットリクエストフラグをセット（記憶）する（Ｓ１０３）。具体的には、選択したボーナスが『ＢＢ』であるとき、「２０（Ｈ）」をセットする。決定したボーナスが『ＲＢ』であるとき、「１０（Ｈ）」をセットする。続いて、決定されたボーナスのストック数を「１」減算する（Ｓ１０４）。そして、ＦＴフラグをオンに設定した後（Ｓ１１２）、ＦＴ継続ゲーム回数を「１５００」に設定し（Ｓ１１３）、本ルーチンを終了して図２５のメインルーチンに戻る。
【０１３２】
また、Ｓ１０１において、ＢＢストック数及びＲＢストック数の何れかが「１以上」でない場合には（Ｓ１０１，ＮＯ）、ＢＢストック数が「１以上」であるか否かを判定する（Ｓ１０５）。「１以上」である場合には（Ｓ１０５，ＹＥＳ）、ヒットリクエストフラグとして「２０（Ｈ）」をセット（記憶）し（Ｓ１０６）、続いて、ＢＢストック数を「１」減算した後（Ｓ１０７）、上述のＳ１１２に移って図２５のメインルーチンに戻る。
【０１３３】
また、Ｓ１０５において、ＢＢストック数が「１以上」でない場合には（Ｓ１０５，ＮＯ）、ＲＢストック数が「１以上」であるか否かを判定する（Ｓ１０８）。「１以上」である場合には（Ｓ１０８，ＹＥＳ）、ヒットリクエストフラグとして「１０（Ｈ）」をセット（記憶）し（Ｓ１０９）、続いて、ＲＢストック数を「１」減算した後（Ｓ１１０）、上述のＳ１１２に移って図２５のメインルーチンに戻る。
【０１３４】
また、Ｓ１０８において、ＲＢストック数が「１以上」でない場合には（Ｓ１０８，ＮＯ）、ヒットリクエストフラグとして「００（Ｈ）」をセット（記憶）し（Ｓ１１１）、本ルーチンを終了する。そして、このようにしてＳ１０３、Ｓ１０６、Ｓ１０９、Ｓ１１１でセットされたヒットリクエストフラグ、或いはＳ１１２でセットされたＦＴフラグに基づいて次回のゲームにおける遊技状態の監視を行なう。
【０１３５】
尚、Ｓ１０４、Ｓ１０７及びＳ１１０では、ヒットリクエストフラグのセットに対応してＢＢストック数又はＲＢストック数から「１」減算している。このため、『通常確率再遊技中ＢＢ内部当選状態』又は『高確率再遊技中ＢＢ内部当選状態』では、ＢＢの入賞成立を実現可能な回数は、ＢＢストック数に「１」を加算した回数と一致する。また、『通常確率再遊技中ＲＢ内部当選状態』又は『高確率再遊技中ＲＢ内部当選状態』では、ＲＢの入賞成立を実現可能な回数は、ＲＢストック数に「１」を加算した回数と一致する。従って、ヒットリクエストフラグ格納手段及びストック数格納手段は、所定の役（例えば、ボーナス等）の入賞成立が実現可能な回数の情報を記憶する回数情報記憶手段として機能する。
【０１３６】
以上のようにして、図２５のメインルーチン等が主制御回路７１において実行されているときに、主制御回路７１から各種の信号が送信される副制御回路７２のサブＣＰＵ７４においては、図３３のフローに示す動作を実行している。
【０１３７】
即ち、図３３に示すように、副制御回路７２に電源が投入されると、サブＣＰＵ７４は、ＶＤＰ（Ｖｉｄｅｏ  Ｄｉｓｐｌａｙ  Ｐｒｏｃｅｓｓｏｒ）フラグ及びタイマフラグを定期的にセットする動作をそれぞれ独立して実行する。そして、そして、サブＣＰＵ７４は、これらのフラグを用いた動作タイミングで各種の処理動作を実行すると共に、液晶表示装置５に所望の動画や静止画を表示させる。
【０１３８】
具体的には、先ず、電源が投入されると、ワークＲＡＭ７６及び画像制御ワークＲＡＭ８３をクリア及び初期化した後（Ｓ１２１）、コマンド処理を実行する（Ｓ１２２）。コマンド処理においては、図３４に示すように、主制御回路７１から送信されるストローブ信号の状態を監視し（Ｓ１４１）、ストローブ信号が立ち上がらなければ（Ｓ１４１，ＮＯ）、本ルーチンを終了する。一方、ストローブ信号が立ち上がると（Ｓ１４１，ＹＥＳ）、この立ち上がりをトリガーとしてストローブ信号と共に並列的に送信されている信号を取り込む。そして、この信号中に含まれるコマンド内容を読み取り（Ｓ１４２）、コマンド内容に対応したメダル投入処理等の各種の処理を実行することによって、液晶表示装置５２に表示させる態様（例えば大分類や小分類の画像データ）をアドレス等の指定により準備する。尚、処理の具体的な内容については後述する。
【０１３９】
次に、図３３に示すように、図６のワークＲＡＭ７６に確保されたバッファに、画像制御ワークＲＡＭ８３に転送する画像データの準備ができている状態であるか否かを判定し（Ｓ１２３）、使用可能な状態であれば（Ｓ１２３，ＹＥＳ）、タイマフラグがオン状態か否かを判定する（Ｓ１２６）。タイマフラグがオン状態でなければ（Ｓ１２６，ＮＯ）、Ｓ１２２から処理を再実行することによって、バッファの画像データが画像制御ＩＣ８２側で使用されるように画像制御ワークＲＡＭ８３に転送されるまで、バッファの更新処理を待機する。
【０１４０】
バッファに、画像制御ワークＲＡＭ８３に転送する画像データの準備ができていない状態と判定された場合は（Ｓ１２３，ＮＯ）、Ｓ１２２の処理で準備された表示態様となるようにデータの更新を行なう（Ｓ１２４）。この後、更新した大分類や小分類の画像データをバッファに書き込み（Ｓ１２５）、１０００／６０ｍｓの周期でオンになるタイマフラグがオン状態か否かを判定することによって（Ｓ１２６）、一定以上の精度をもった周期で液晶表示装置５に表示させる態様が切り替わるようにしている。
【０１４１】
サブＣＰＵ７４において１０００／６０ｍｓの割込みタイミングでタイマフラグがセットされた結果（Ｓ１３６）、タイマフラグがオン状態になると（Ｓ１２６，ＹＥＳ）、続いてＶＤＰフラグがオン状態か否かを判定することによって、画像制御ＩＣ８２が動作可能な状態にあるか否かを判定する（Ｓ１２７）。ＶＤＰフラグがオン状態でなければ（Ｓ１２７，ＮＯ）、ＶＤＰ（＝画像制御ＩＣ８２）がビジー状態であると判断し、Ｓ１２２から再実行することによって、ＶＤＰフラグがオン状態に切り替わるまで待機する。一方、ＶＤＰ（＝画像制御ＩＣ８２）がアイドル状態に移行したことによるＶＤＰからの割込み信号によりＶＤＰフラグがセットされた結果（Ｓ１３５）、ＶＤＰフラグがオン状態になった場合には（Ｓ１２７，ＹＥＳ）、タイマフラグをリセットすると共に（Ｓ１２８）、ＶＤＰフラグをリセットする（Ｓ１２９）。これにより、次の割込み処理（Ｓ１３６・Ｓ１３５）でタイマフラグ及びＶＤＰフラグがセットされるまで、これから行なわれるバッファから転送（Ｓ１３３）されることで生成される画像制御ワークＲＡＭ８３の画像データ、又はＶＤＰバンク切換（Ｓ１３２）で切替えられるバンクが更新されることはない。
【０１４２】
次に、ビデオＲＡＭ８７に確保された２つのデータ領域（バンク）を交互に切替える処理を行なうか、画像制御ワークＲＡＭ８３に画像データを転送する処理を行なうか、の何れの処理を行なうかを選択するためのバンクフラグのオン／オフを、現在のバンクフラグとは反対の値に切替える。即ち、バンクフラグを反転し（Ｓ１３０）、反転後のバンクフラグがオン状態であるか否かを判定する（Ｓ１３１）。そして、オン状態であれば（Ｓ１３１，ＹＥＳ）、他方のバンクに切替えるようＶＤＰ（＝画像制御ＩＣ８２）に指示を出し（Ｓ１３２）、表示画像を切替える。具体的には、ＶＲＡＭに２つのデータ領域であるバンク０とバンク１とを備え、切り替え前の各バンクの制御状態は、バンク０は格納された画像データに対応する画像を遊技者に表示するように制御され、バンク１は１０００／６０ｍｓ前から準備を開始した画像データが格納完了しており、遊技者に表示可能な状態で待機している。次にバンク切り替えの指示を受けたＶＤＰは、現在遊技者に表示しているバンク０に格納された画像データに対応する画像を遊技者から視認不可能な状態にし、かつ、すでに遊技者に表示できるように準備が完了しているバンク１に格納されている画像データに対応る画像を遊技者に表示するように変換制御する。その後、Ｓ１２２からの処理を再実行する。
【０１４３】
また、バンクフラグがオン状態でない場合には（Ｓ１３１，ＮＯ）、ワークＲＡＭ７６のバッファに格納された画像データを画像制御ワークＲＡＭ８３に転送する（Ｓ１３３）。画像制ＩＣ８２は、現在表示されている画像に対応する画像データが格納されたバンクとは異なるバンクに、サブＣＰＵ７４の制御で転送された画像ワークＲＡＭ８３の画像データを格納する。この格納された画像データに対応する画像は、１０００／６０ｍｓ後に行なわれるバンク切り替えで遊技者に対して表示される。このように、１０００／６０ｍｓ毎に画像データ格納、ＶＤＰのバンクの切り替えを交互に行なうことで液晶表示装置５２における画面表示のチラツキを防止している。この後、バッファをクリアし（Ｓ１３４）、Ｓ１２２から再実行する。そして、このようなＳ１２２〜Ｓ１３４までの処理をＶＤＰフラグやタイマフラグ等を用いて繰り返して実行することによって、Ｓ１２２のコマンド処理に応じた動画や静止画等の画像を液晶表示装置５２に表示させる。
【０１４４】
次に、上記のようにして液晶表示装置５２に画像を表示する副制御回路７２のＡＴ実行判定処理時における具体的な動作を説明する。
【０１４５】
主制御回路７１からメダル投入信号が入力されると、副制御回路７２のサブＣＰＵ７４は、図３４に示すように、主制御回路７１からコマンド信号を送信中であること示すストローブ信号の立ち上がりを検出したタイミングで（Ｓ１４１，ＹＥＳ）、コマンド信号を取り込み、この信号中のコマンド内容を読み取る（Ｓ１４２）。そして、このコマンド内容がメダル投入信号によるものであることを識別し、メダル投入処理を実行する（Ｓ１４３）。
【０１４６】
また、スタートレバー６が操作されて図９のＣＴ用確率抽選テーブルを用いた抽選処理の結果、内部当選役を示す内部当選役信号が主制御回路７１から入力されると、副制御回路７２のサブＣＰＵ７４は、ストローブ信号の立ち上がりを検出したタイミングで（Ｓ１４１，ＹＥＳ）、コマンド信号を取り込み、この信号中のコマンド内容を読み取る（Ｓ１４２）。そして、このコマンド内容が内部当選役信号によるものであることを識別し、ＡＴ実行判定処理を実行する（Ｓ１４３）。
【０１４７】
即ち、図３５に示すように、ＡＴ実行判定処理ルーチンを実行し、内部当選役を遊技者に報知するＡＴ処理を実施するか否かの抽選を行う（Ｓ１５１）。そして、ＡＴに当選したか否かを判定し（Ｓ１５２）、ＡＴに当選しなかった場合には（Ｓ１５２，ＮＯ）、本ルーチンを終了する。一方、ＡＴに当選した場合には（Ｓ１５２，ＹＥＳ）、ＡＴ処理を実施するため、内部当選役信号に含まれていた内部当選役を読み取り（Ｓ１５３）、この内部当選役に対応したアシスト画像を表示する（Ｓ１５４）。
【０１４８】
具体的には、図２３のＡＴ演出用データテーブルを用いることによって、内部当選役に対応した演出用識別子ＡＴ１〜ＡＴ４を選択する。そして、選択した演出用識別子ＡＴ１〜ＡＴ４をワークＲＡＭ７６の演出用識別子記憶領域に格納する。この後、演出用識別子ＡＴ１〜ＡＴ４と図２４の演出用分類データテーブルとに基づいて大分類データ及び小分類データを取得し、液晶表示装置５にアシスト画像を表示する。
【０１４９】
例えばＢＢが内部当選役である場合には、演出用識別子ＡＴ１に対応するＡＴ１演出データの大分類データ及び小分類データが取得されることによって、液晶表示装置５に何も表示されていない状態から、２つの小分類データ「ドンちゃん出現画像」、「ＡＴ１用吹出出現画像」が選択される。この結果、液晶表示装置５において、小さな点が拡大してドンちゃんの形状に変化する画像表示と、小さな点が拡大して『ＢＢを揃えるんでい』の文字がアシスト画像として描かれた吹出しに変化する画像表示とが並列的に行なわれる。これにより、液晶表示装置５に表示されたアシスト画像を見た遊技者は、内部当選役がＢＢであることを認識することができる。
【０１５０】
尚、キャラクター画像や文字画像は、液晶表示装置５に突然に出現するようになっていても良いし、液晶表示装置５の右端から徐々に出現するようになっていても良い。また、上記のようにして液晶表示装置５において画像表示が行なわれるときに、遊技者に期待感を持たせるように、ＬＥＤランプ２９が点灯や点滅したり、スピーカ２１Ｌ・２１Ｒから効果音や音楽を流しても良い。
【０１５１】
また、ＣＴ遊技状態においても、上記のＡＴ処理によるアシスト画像が液晶表示装置５に表示される。この場合には、内部当選役がボーナスであるか否かをアシスト画像により見分けることができるため、ボーナスの場合とボーナス以外の場合とで使い分けながら、目押しを行うことができる。さらに、ＲＴ時においても、再遊技（リプレイ）に当選しているか否かをアシスト画像で確認することができる。
【０１５２】
以上のように、本実施形態の遊技機は、実行中の遊技状態を検知する遊技状態検知手段と、メダルのＢＥＴ数を取得するベット数取得手段と、入賞成立の判定に使用される複数の入賞ラインと、入賞ラインを有効化し、かつ、遊技状態とＢＥＴ数とに応じて、入賞ラインを有効化する数を増減させる入賞ライン有効化手段とを有する構成にされている。これにより、遊技状態とＢＥＴ数とに応じて、入賞ラインを有効化する数を変化させることで、入賞成立を容易に実現することができる場合があり、遊技者の遊技興趣を向上させることができる。
【０１５３】
また、本実施形態の遊技機は、一般遊技状態とＢＢ一般遊技状態とにおける当選役にない部当選する確率がおなじであるため、入賞ラインを有効化する数を一般遊技状態と比べて増加させることで、遊技状態が特別遊技状態の場合に、内部当選役の当選確率が変化しなくても、入賞成立を容易に実現することができ、かつ、入賞成立までの時間を短縮することができ、さらに、１度の入賞でより多くのメダルを獲得することができるため、遊技者の興趣を向上させることができる。さらに、ＣＴ遊技状態においても、入賞ラインを有効化する数を一般遊技状態と比べて増加させる構成にすることにより、目押しが不得意な遊技者にとっても、容易に入賞成立することが可能となる。また、獲得メダル枚数が所定値を越える場合に、獲得メダル枚数を所定値に制限する構成にすることで、付与される遊技価値が制限されている場合に、好適に適用することができる。
【０１５４】
また、本実施形態の遊技機は、入賞成立を実現可能にする内部当選役を発生させる内部当選役発生手段をさらに備えており、入賞ライン有効化手段が、遊技状態が、所定の入賞成立を契機として発生し、発生前の遊技状態と内部当選役の当選確率が同じで、獲得可能な遊技価値の総計が増大する特別遊技状態の場合に、入賞ラインを有効化する数を特別遊技状態の発生前の遊技状態と比べて増加させるように構成されている。この構成によると、有効化する入賞ラインの数を増加させることで、遊技状態が特別遊技状態の場合に、内部当選役の当選確率が変化しなくても、入賞成立を容易に実現することができ、また、１度の入賞でより多くの遊技価値を獲得できるため、所定量の遊技価値を獲得するまでの時間を短縮することができ、遊技者の興趣を向上させることができる。
【０１５５】
また、本実施形態の遊技機における入賞ライン有効化手段は、遊技状態が、内部当選役に無関係に入賞成立を実現可能にする特定遊技状態である場合に、入賞ラインを有効化する数を特定遊技状態の発生前の遊技状態と比べて増加させるように構成されている。これによると、遊技状態が内部当選役に関係なく入賞成立することができる特定遊技状態である場合には、有効化する入賞ラインの数を増加させることで、遊技者が容易に入賞成立することができる場合がある。
【０１５６】
また、本実施形態の遊技機は、入賞成立により付与される遊技価値が所定値を越える場合、遊技価値を所定値に制限する遊技価値制限手段をさらに備えた構成にされている。これによると、付与される遊技価値が制限されている場合に、好適に適用することができる。
【０１５７】
以上、本発明の実施例を説明したが、具体例を例示したに過ぎず、特に本発明を限定するものではない。即ち、本発明は、有効化する入賞ラインを最大７本としているが、この数値に限定されることはなく、入賞ラインが表示窓を横切る位置も本実施例に限定されることはない。さらに、ＢＥＴ数が「３」の場合に有効化する数を７本となるようにしているが、ＢＥＴ数は「１」、「２」であっても良い。入賞成立により獲得したメダルが１５枚以上の場合に１５枚に制限するようにしなくてもよいし、制限枚数を１５枚に限定することはない。その他、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【０１５８】
さらに、本発明は、上述のパチスロ機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【図面の簡単な説明】
【０１５９】
【図１】実施例の表示窓の入賞ラインを表す拡大図。
【図２】実施例のパチスロ機の斜視図。
【図３】リール上に配列された図柄の例を示す図。
【図４】リール上に配列された図柄の例を示す図。
【図５】実施例の電気回路の構成を示すブロック図。
【図６】実施例の電気回路の構成を示すブロック図。
【図７】役図柄組合わせと払出枚数との関係を示す図。
【図８】確率抽選テーブルの例を示す図。
【図９】確率抽選テーブルの例を示す図。
【図１０】ＢＥＴ数と、遊技状態と、有効ライン数との関係を示す図。
【図１１】遊技状態と、当選役と、停止テーブル群との関係を示す図。
【図１２】遊技状態と、当選役と、停止テーブル群との関係を示す図。
【図１３】遊技状態と、当選役と、停止テーブル群との関係を示す図。
【図１４】停止テーブルＡを示す図。
【図１５】停止テーブルＢを示す図。
【図１６】ストップ用セレクトデータ抽選値テーブルを示す図。
【図１７】選択比率番号テーブルを示す図。
【図１８】選択比率値テーブルを示す図。
【図１９】選択番号テーブルを示す図。
【図２０】ＦＴ終了抽選値テーブルを示す図。
【図２１】ＢＢ内部当選設定比率テーブルを示す図。
【図２２】入賞判定テーブルを示す図。
【図２３】ＡＴ演出用データテーブルを示す図。
【図２４】演出用分類データテーブルを示す図
【図２５】メインルーチンのフローチャート。
【図２６】遊技状態監視処理ルーチンのフローチャート。
【図２７】確率抽選処理ルーチンのフローチャート。
【図２８】図２７に続くフローチャート。
【図２９】ＦＴ終了抽選状態選択処理ルーチンのフローチャート。
【図３０】ＦＴ終了抽選処理ルーチンのフローチャート。
【図３１】入賞判定処理ルーチンのフローチャート。
【図３２】次ボーナス抽選処理ルーチンのフローチャート。
【図３３】副制御回路の動作内容を示すフローチャート。
【図３４】コマンド処理ルーチンのフローチャート。
【図３５】ＡＴ実行判定処理ルーチンのフローチャート。
【符号の説明】
【０１６０】
１    遊技機
２    キャビネット
２ａ  パネル表示部
３Ｌ，３Ｃ，３Ｒ  リール
４Ｌ，４Ｃ，４Ｒ  表示窓
５    液晶表示装置
５ａ  液晶表示画面
６    スタートレバー
７Ｌ，７Ｃ，７Ｒ  停止ボタン
８ａ  クロスダウンライン
８ｂ  トップライン
８ｃ  センターライン
８ｄ  ボトムライン
８ｅ  クロスアップライン
９ａ  １−ＢＥＴランプ
９ｂ  ２−ＢＥＴランプ
９ｃ  最大ＢＥＴランプ
１０  台座部
１１  １−ＢＥＴスイッチ
１２  ２−ＢＥＴスイッチ
１３  最大ＢＥＴスイッチ
１４  Ｃ／Ｐスイッチ
１５  メダル払出口
１６  メダル受け部
１７  当り表示ランプ
１８  払出表示部
１９  クレジット表示部
２０  ボーナス遊技情報表示部
２１Ｌ，２１Ｒ  スピーカ
２２  メダル投入口
２２Ｓ  投入メダルセンサ
２３  配当表パネル
３０  マイクロコンピュータ
３１  ＣＰＵ
３２  ＲＯＭ
３３  ＲＡＭ
３４  クロックパルス発生回路
３５  分周器
３６  乱数発生器
３７  サンプリング回路
３８  Ｉ／Ｏポート
３９  モータ駆動回路
４０  ホッパ
４１  ホッパ駆動回路
４５  ランプ駆動回路
４６  リール停止信号回路
４８  表示部駆動回路
４９Ｌ，４９Ｃ，４９Ｒ  ステッピングモータ
５０  リール位置検出回路
５１  払出完了信号回路
７１  主制御回路
７２  副制御回路
【図１】
2005296409.tif 000003
【図２】
2005296409.tif 000004
【図３】
2005296409.tif 000005
【図４】
2005296409.tif 000006
【図５】
2005296409.tif 000007
【図６】
2005296409.tif 000008
【図７】
2005296409.tif 000009
【図８】
2005296409.tif 000010
【図９】
2005296409.tif 000011
【図１０】
2005296409.tif 000012
【図１１】
2005296409.tif 000013
【図１２】
2005296409.tif 000014
【図１３】
2005296409.tif 000015
【図１４】
2005296409.tif 000016
【図１５】
2005296409.tif 000017
【図１６】
2005296409.tif 000018
【図１７】
2005296409.tif 000019
【図１８】
2005296409.tif 000020
【図１９】
2005296409.tif 000021
【図２０】
2005296409.tif 000022
【図２１】
2005296409.tif 000023
【図２２】
2005296409.tif 000024
【図２３】
2005296409.tif 000025
【図２４】
2005296409.tif 000026
【図２５】
2005296409.tif 000027
【図２６】
2005296409.tif 000028
【図２７】
2005296409.tif 000029
【図２８】
2005296409.tif 000030
【図２９】
2005296409.tif 000031
【図３０】
2005296409.tif 000032
【図３１】
2005296409.tif 000033
【図３２】
2005296409.tif 000034
【図３３】
2005296409.tif 000035
【図３４】
2005296409.tif 000036
【図３５】
2005296409.tif 000037